(57)【要約】【課題】  ヒートポンプ式空気調和装置又は給湯装置の冷媒と熱交換する熱源媒体（水や不凍液）を、冷却塔又はヒーティングタワーで冷却又は加熱したり、大規模な地下水槽において周囲の土壌との熱交換によって冷却又は加熱したり、温度上昇又は低下に応じて排出・再供給したりする必要のない、生活用建屋用のヒートポンプ式空気調和装置又は給湯装置を供給することを提供する。【解決手段】  生活排水及び／又は雨水を貯留する貯留水槽の内部に槽内熱交換器を設け、該槽内熱交換器において、ヒートポンプ式空気調和装置又は給湯装置の冷媒と熱交換する熱源媒体を、貯留水槽に貯留された生活排水及び／又は雨水と熱交換させることによって冷却又は加熱する。【選択図】  図２９
2010048527.tif 000002
【特許請求の範囲】
【請求項１】
（１１）後記室内熱交換器に空気を送る室内送風機と；
該室内送風機から送られた空気と「圧縮性流体である冷媒１」とを熱交換させる室内熱交換器と；
を備え、人が個人又は集団で生活する建屋（以下、生活用建屋と略記する）の内部に設けられる室内機ユニットと、
（１２Ｗ）前記冷媒１と「水、水溶液又はその他の不凍液である熱源媒体１」とを熱交換させる室外熱交換器Ｗ１と、
（３）前記生活用建屋から排出される生活排水、及び／又は、生活用建屋に落下する雨水（以下、生活排水・雨水と略記する）を収集して後記貯留水槽に供給する、排水・雨水収集供給系統と、
（４）前記排水・雨水収集供給系統から供給される生活排水・雨水、又は、該生活排水・雨水と水道水や井戸水等の生活用水（以下、生活用水と略記する）とを受け入れて貯留する貯留水槽であって、
前記生活排水・雨水、又は、前記生活排水・雨水と生活用水との混合水と前記熱源媒体１とを熱交換させる槽内熱交換器１と；
前記生活排水・雨水又は該混合水を下水道配管に放流するための放流手段と；
を備える貯留水槽と、
（１５）前記冷媒１を前記室内熱交換器と前記室外熱交換器Ｗ１との間で循環させるとともに、循環経路中に圧縮機構と膨張機構を備えた冷媒循環系統１と、
（１６）前記熱源媒体１を前記室外熱交換器Ｗ１と前記槽内熱交換器１との間で循環させる熱源媒体循環系統１と、
を備えることを特徴とするヒートポンプ式空気調和システム。
【請求項２】
（１１）後記室内熱交換器に空気を送る室内送風機と；
該室内送風機から送られた空気と「圧縮性流体である冷媒１」とを熱交換させる室内熱交換器と；
を有し、生活用建屋の内部に設けられる室内機ユニットと、
（１２Ａ）後記室外熱交換器Ａ１に外気を送る室外送風機１と；
該室外送風機１から送られた外気と前記冷媒１とを熱交換させる室外熱交換器Ａ１と；
を有する外気熱交換ユニット１と、
（１２Ｗ’）前記室外熱交換器Ａ１に直列に設けられ、前記冷媒１と「水、水溶液又はその他の不凍液である熱源媒体１」とを熱交換させる室外熱交換器Ｗ１と、
（３）生活排水・雨水を収集して後記貯留水槽に供給する、排水・雨水収集供給系統と、
（４）前記排水・雨水収集供給系統から供給される生活排水・雨水、又は、該生活排水・雨水と生活用水とを受け入れて貯留する貯留水槽であって、
前記生活排水・雨水、又は、前記生活排水・雨水と生活用水との混合水と前記熱源媒体１とを熱交換させる槽内熱交換器１と；
前記生活排水・雨水又は該混合水を下水道配管に放流するための放流手段と；
を有する貯留水槽と、
（１５’）前記冷媒１を前記室内熱交換器と「前記室外熱交換器Ａ１と前記室外熱交換器Ｗ１との直列体」との間で循環させるとともに、後循環経路中に圧縮機構と膨張機構を有する冷媒循環系統１と、
（１６）前記熱源媒体１を前記室外熱交換器Ｗ１と前記槽内熱交換器１との間で循環させる熱源媒体循環系統１と、
を備えることを特徴とするヒートポンプ式空気調和システム。
【請求項３】
（２１Ｅ）水と「圧縮性流体である冷媒２」とを熱交換させる湯沸熱交換器と、
（２１Ｔ）前記湯沸熱交換器で前記冷媒２との熱交換によって生成した湯を貯留する貯湯槽と、
（２２Ｗ）前記冷媒２と「水、水溶液又はその他の不凍液である熱源媒体２」とを熱交換させる室外熱交換器Ｗ２と、
（３）生活排水・雨水を収集して後記貯留水槽に供給する、排水・雨水収集供給系統と、
（４’）前記排水・雨水収集供給系統から供給される生活排水・雨水、又は、該生活排水・雨水と生活用水とを受け入れて貯留する貯留水槽であって、
前記生活排水・雨水、又は、前記生活排水・雨水と生活用水との混合水と前記熱源媒体２とを熱交換させる槽内熱交換器２と；
前記生活排水・雨水又は該混合水を下水道配管に放流するための放流手段と；
を備える貯留水槽と、
（２５）循環経路中に圧縮機構と膨張機構を備え、前記冷媒２を「圧縮機構→湯沸熱交換器→膨張機構→室外熱交換器Ｗ２」の経路で循環させる冷媒循環系統２と、
（２６）前記熱源媒体２を前記室外熱交換器Ｗ２と前記槽内熱交換器２との間で循環させる熱源媒体循環系統２と、
を備えることを特徴とするヒートポンプ式給湯システム。
【請求項４】
（２１Ｅ）水と「圧縮性流体である冷媒２」とを熱交換させる湯沸熱交換器と、
（２１Ｔ）前記湯沸熱交換器で前記冷媒２との熱交換によって生成した湯を貯留する貯湯槽と、
（２２Ａ）後記室外熱交換器Ａ２に外気を送る室外送風機２と；
該室外送風機２から送られた外気と前記冷媒２とを熱交換させる室外熱交換器Ａ２と；
を有する外気熱交換ユニット２と、
（２２Ｗ’）前記室外熱交換器Ａ２に直列に設けられ、前記冷媒２と「水、水溶液又はその他の不凍液である熱源媒体２」とを熱交換させる室外熱交換器Ｗ２と、
（３）生活排水・雨水を収集して後記貯留水槽に供給する、排水・雨水収集供給系統と、
（４’）前記排水・雨水収集供給系統から供給される生活排水・雨水、又は、該生活排水・雨水と生活用水とを受け入れて貯留する貯留水槽であって、
前記生活排水・雨水、又は、前記生活排水・雨水と生活用水との混合水と前記熱源媒体２とを熱交換させる槽内熱交換器２と；
前記生活排水・雨水又は該混合水を下水道配管に放流するための放流手段と；
を有する貯留水槽と、
（２５’）循環経路中に圧縮機構と膨張機構を有し、前記冷媒２を「圧縮機構→湯沸熱交換器→膨張機構→室外熱交換器Ａ２と室外熱交換器Ｗ２との直列体」の経路で循環させる冷媒循環系統２と、
（２６）前記熱源媒体２を前記室外熱交換器Ｗ２と前記槽内熱交換器２との間で循環させる熱源媒体循環系統２と、
を備えることを特徴とするヒートポンプ式給湯システム。
【請求項５】
（１１）後記室内熱交換器に空気を送る室内送風機と；
該室内送風機から送られた空気と「圧縮性流体である冷媒１」とを熱交換させる室内熱交換器と；
を備え、生活用建屋の内部に設けられる室内機ユニットと、
（２１Ｅ）水と「圧縮性流体である冷媒２」とを熱交換させる湯沸熱交換器と、
（２１Ｔ）前記湯沸熱交換器で前記冷媒２との熱交換によって生成した湯を貯留する貯湯槽と、
（１２Ｗ）前記冷媒１と「水、水溶液又はその他の不凍液である熱源媒体１」とを熱交換させる室外熱交換器Ｗ１と、
（２２Ｗ）前記冷媒２と「水、水溶液又はその他の不凍液である熱源媒体２」とを熱交換させる室外熱交換器Ｗ２と、
（３）生活排水・雨水を収集して後記貯留水槽に供給する、排水・雨水収集供給系統と、
（４”）前記排水・雨水収集供給系統から供給される生活排水・雨水、又は、該生活排水・雨水と生活用水とを受け入れて貯留する貯留水槽であって、
前記生活排水・雨水、又は、前記生活排水・雨水と生活用水との混合水と前記熱源媒体１とを熱交換させる槽内熱交換器１と；
前記生活排水・雨水又は該混合水と前記熱源媒体２とを熱交換させる槽内熱交換器２と；
前記生活排水・雨水又は該混合水を下水道配管に放流するための放流手段と；
を備える貯留水槽と、
（１５）前記冷媒１を前記室内熱交換器と前記室外熱交換器Ｗ１との間で循環させるとともに、循環経路中に圧縮機構と膨張機構を備えた冷媒循環系統１と、
（２５）循環経路中に圧縮機構と膨張機構を備え、前記冷媒２を「圧縮機構→湯沸熱交換器→膨張機構→室外熱交換器Ｗ２」の経路で循環させる冷媒循環系統２と、
（１６）前記熱源媒体１を前記室外熱交換器Ｗ１と前記槽内熱交換器１との間で循環させる熱源媒体循環系統１と、
（２６）前記熱源媒体２を前記室外熱交換器Ｗ２と前記槽内熱交換器２との間で循環させる熱源媒体循環系統２と、
を備えることを特徴とするヒートポンプ式空気調和・給湯統合システム。
【請求項６】
（１１）後記室内熱交換器に空気を送る室内送風機と；
該室内送風機から送られた空気と「圧縮性流体である冷媒１」とを熱交換させる室内熱交換器と；
を有し、生活用建屋の内部に設けられる室内機ユニットと、
（２１Ｅ）水と「圧縮性流体である冷媒２」とを熱交換させる湯沸熱交換器と、
（２１Ｔ）前記湯沸熱交換器で前記冷媒２との熱交換によって生成した湯を貯留する貯湯槽と、
（１２Ａ）後記室外熱交換器Ａ１に外気を送る室外送風機１と；
該室外送風機１から送られた外気と前記冷媒１とを熱交換させる室外熱交換器Ａ１と；
を有する外気熱交換ユニット１と、
（１２Ｗ’）前記室外熱交換器Ａ１に直列に設けられ、前記冷媒１と「水、水溶液又はその他の不凍液である熱源媒体１」とを熱交換させる室外熱交換器Ｗ１と、
（２２Ａ）後記室外熱交換器Ａ２に外気を送る室外送風機２と；
該室外送風機２から送られた外気と前記冷媒２とを熱交換させる室外熱交換器Ａ２と；
を有する外気熱交換ユニット２と、
（２２Ｗ’）前記室外熱交換器Ａ２に直列に設けられ、前記冷媒２と「水、水溶液又はその他の不凍液である熱源媒体２」とを熱交換させる室外熱交換器Ｗ２と、
（３）生活排水・雨水を収集して後記貯留水槽に供給する、排水・雨水収集供給系統と、
（４”）前記排水・雨水収集供給系統から供給される生活排水・雨水、又は、該生活排水・雨水と生活用水とを受け入れて貯留する貯留水槽であって、
前記生活排水・雨水、又は、前記生活排水・雨水と生活用水との混合水と前記熱源媒体１とを熱交換させる槽内熱交換器１と；
前記生活排水・雨水又は該混合水と前記熱源媒体２とを熱交換させる槽内熱交換器２と；
前記生活排水・雨水又は該混合水を下水道配管に放流するための放流手段と；
を有する貯留水槽と、
（１５’）前記冷媒１を前記室内熱交換器と「前記室外熱交換器Ａ１と前記室外熱交換器Ｗ１との直列体」との間で循環させるとともに、後循環経路中に圧縮機構と膨張機構を有する冷媒循環系統１と、
（２５’）循環経路中に圧縮機構と膨張機構を有し、前記冷媒２を「圧縮機構→湯沸熱交換器→膨張機構→室外熱交換器Ａ２と室外熱交換器Ｗ２との直列体」の経路で循環させる冷媒循環系統２と、
（１６）前記熱源媒体１を前記室外熱交換器Ｗ１と前記槽内熱交換器１との間で循環させる熱源媒体循環系統１と、
（２６）前記熱源媒体２を前記室外熱交換器Ｗ２と前記槽内熱交換器２との間で循環させる熱源媒体循環系統２と、
を備えることを特徴とするヒートポンプ式空気調和・給湯統合システム。
【請求項７】
（１１）後記室内熱交換器に空気を送る室内送風機と；
該室内送風機から送られた空気と「圧縮性流体である冷媒１」とを熱交換させる室内熱交換器と；
を備え、生活用建屋の内部に設けられる室内機ユニットと、
（２１Ｅ）水と「圧縮性流体である冷媒２」とを熱交換させる湯沸熱交換器と、
（２１Ｔ）前記湯沸熱交換器で前記冷媒２との熱交換によって生成した湯を貯留する貯湯槽と、
（１２Ｗ）前記冷媒１と「水、水溶液又はその他の不凍液である熱源媒体３」とを熱交換させる室外熱交換器Ｗ１と、
（２２Ｗ）前記冷媒２と「水、水溶液又はその他の不凍液である熱源媒体３」とを熱交換させる室外熱交換器Ｗ２と、
（３）生活排水・雨水を収集して後記貯留水槽に供給する、排水・雨水収集供給系統と、
（４”’）前記排水・雨水収集供給系統から供給される生活排水・雨水、又は、該生活排水・雨水と生活用水とを受け入れて貯留する貯留水槽であって、
前記生活排水・雨水、又は、前記生活排水・雨水と生活用水との混合水と前記熱源媒体３とを熱交換させる槽内熱交換器３と；
前記生活排水・雨水又は該混合水を下水道配管に放流するための放流手段と；
を備える貯留水槽と、
（１５）前記冷媒１を前記室内熱交換器と前記室外熱交換器Ｗ１との間で循環させるとともに、循環経路中に圧縮機構と膨張機構を備えた冷媒循環系統１と、
（２５）循環経路中に圧縮機構と膨張機構を備え、前記冷媒２を「圧縮機構→湯沸熱交換器→膨張機構→室外熱交換器Ｗ２」の経路で循環させる冷媒循環系統２と、
（７）前記熱源媒体３を「室外熱交換器Ｗ１→室外熱交換器Ｗ２→槽内熱交換器３」又は「室外熱交換器Ｗ２→室外熱交換器Ｗ１→槽内熱交換器３」のいずれかの経路で循環させる熱源媒体循環系統３と、
を備えることを特徴とするヒートポンプ式空気調和・給湯統合システム。
【請求項８】
（１１）後記室内熱交換器に空気を送る室内送風機と；
該室内送風機から送られた空気と「圧縮性流体である冷媒１」とを熱交換させる室内熱交換器と；
を有し、生活用建屋の内部に設けられる室内機ユニットと、
（２１Ｅ）水と「圧縮性流体である冷媒２」とを熱交換させる湯沸熱交換器と、
（２１Ｔ）前記湯沸熱交換器で前記冷媒２との熱交換によって生成した湯を貯留する貯湯槽と、
（１２Ａ）後記室外熱交換器Ａ１に外気を送る室外送風機１と；
該室外送風機１から送られた外気と前記冷媒１とを熱交換させる室外熱交換器Ａ１と；
を有する外気熱交換ユニット１と、
（１２Ｗ’）前記室外熱交換器Ａ１に直列に設けられ、前記冷媒１と「水、水溶液又はその他の不凍液である熱源媒体３」とを熱交換させる室外熱交換器Ｗ１と、
（２２Ａ）後記室外熱交換器Ａ２に外気を送る室外送風機２と；
該室外送風機２から送られた外気と前記冷媒２とを熱交換させる室外熱交換器Ａ２と；
を有する外気熱交換ユニット２と、
（２２Ｗ’）前記室外熱交換器Ａ２に直列に設けられ、前記冷媒２と「水、水溶液又はその他の不凍液である熱源媒体３」とを熱交換させる室外熱交換器Ｗ２と、
（３）生活排水・雨水を収集して後記貯留水槽に供給する、排水・雨水収集供給系統と、
（４”’）前記排水・雨水収集供給系統から供給される生活排水・雨水、又は、該生活排水・雨水と生活用水とを受け入れて貯留する貯留水槽であって、
前記生活排水・雨水、又は、前記生活排水・雨水と生活用水との混合水と前記熱源媒体３とを熱交換させる槽内熱交換器３と；
前記生活排水・雨水又は該混合水を下水道配管に放流するための放流手段と；
を有する貯留水槽と、
（１５’）前記冷媒１を前記室内熱交換器と「前記室外熱交換器Ａ１と前記室外熱交換器Ｗ１との直列体」との間で循環させるとともに、後循環経路中に圧縮機構と膨張機構を有する冷媒循環系統１と、
（２５’）循環経路中に圧縮機構と膨張機構を有し、前記冷媒２を「圧縮機構→湯沸熱交換器→膨張機構→室外熱交換器Ａ２と室外熱交換器Ｗ２との直列体」の経路で循環させる冷媒循環系統２と、
（７）前記熱源媒体３を「室外熱交換器Ｗ１→室外熱交換器Ｗ２→槽内熱交換器３」又は「室外熱交換器Ｗ２→室外熱交換器Ｗ１→槽内熱交換器３」のいずれかの経路で循環させる熱源媒体循環系統３と、
を備えることを特徴とするヒートポンプ式空気調和・給湯統合システム。
【請求項９】
前記熱源媒体循環系統３（７）は経路切り替え手段を有し、該経路切り替え手段の切り替えによって、熱源媒体３の循環経路を「室外熱交換器Ｗ１←→槽内熱交換器３」及び／又は「室外熱交換器Ｗ２←→槽内熱交換器３」に切り替える機能を有することを特徴とする、請求項７又は８に記載のヒートポンプ式空気調和・給湯統合システム。
【請求項１０】
前記貯留水槽（４”’）は、「前記生活排水・雨水、又は、前記生活排水・雨水」と「水、水溶液又はその他の不凍液である熱源媒体１」とを熱交換させる槽内熱交換器１を有した上で、
（１６）前記熱源媒体１を前記室外熱交換器Ｗ１と前記槽内熱交換器１との間で循環させる熱源媒体循環系統１
を備え、
前記熱源媒体循環系統３（７）と前記熱源媒体循環系統１（１６）とは一体的な系統を構成した上で、経路切り替え手段を有し、該経路切り替え手段の切り替えによって、室外熱交換器Ｗ１に熱源媒体１が供給される運転モードと、室外熱交換器Ｗ１に熱源媒体３が供給される運転モードを切り替える機能を有することを特徴とする、請求項７乃至９のいずれか一項に記載のヒートポンプ式空気調和・給湯統合システム。
【請求項１１】
（１６Ｃ）前記熱源媒体循環系統１の運転及び停止を、以下の「（ア）及び／又は（イ）」、又は、「（ア）及び／又は（イ）」及び「（ウ）及び／又は（エ）」に基づき制御する制御する熱交換制御手段１
を備えることを特徴とする、請求項２に記載のヒートポンプ式空気調和システム、又は、請求項６又は１０に記載のヒートポンプ式空気調和・給湯統合システム。
（ア）前記貯留水槽（４）、（４”）又は（４”’）に貯留されている前記生活排水・雨水、又は、前記生活排水・雨水と生活用水との混合水の温度情報
（イ）熱源媒体１の温度情報
（ウ）外気温度情報
（エ）前記生活用建屋内の室内温度情報
【請求項１２】
（２６Ｃ）前記熱源媒体循環系統２の運転及び停止を、以下の「（ア’）及び／又は（イ’）」、又は、「（ア’）及び／又は（イ’）」及び「（ウ）及び／又は（オ）」に基づき制御する熱交換制御手段２
を備えることを特徴とする、請求項４に記載のヒートポンプ式給湯システム、又は、請求項６に記載のヒートポンプ式空気調和・給湯統合システム。
（ア’）前記貯留水槽（４’）又は（４”）に貯留されている前記生活排水・雨水、又は、前記生活排水・雨水と生活用水との混合水の温度情報
（イ’）熱源媒体２の温度情報
（ウ）外気温度情報
（オ）貯湯槽（２１Ｔ）内の湯温度情報
【請求項１３】
（７Ｃ）前記熱源媒体循環系統３の運転及び停止を、以下の「（ア”’）及び／又は（イ）」、又は、「（ア”’）及び／又は（イ）」及び「（ウ）〜（オ）のうちの少なくとも一つ」に基づき制御する熱交換制御手段３
を備えることを特徴とする、請求項１０に記載のヒートポンプ式空気調和・給湯統合システム。
（ア”’）前記貯留水槽（４”’）における温度測定手段で測定された温度情報
（イ）熱源媒体３の温度情報
（ウ）外気温度情報
（エ）生活用建屋内の室内温度情報
（オ）貯湯槽（２１Ｔ）内の湯温度情報
【請求項１４】
前記冷媒循環系統１（１５）又（１５’）は経路切り替え手段を有し、該経路切り替え手段の切り替えによって、冷媒１を「圧縮機構→室外熱交換器Ｗ１→膨張機構→室内熱交換器」又は「圧縮機構→室外熱交換器Ａ１と室外熱交換器Ｗ１との直列体→膨張機構→室内熱交換器」の経路で循環させる冷房運転と、冷媒１を「圧縮機構→室内熱交換器→膨張機構→室外熱交換器Ｗ１」又は「圧縮機構→室内熱交換器→膨張機構→室外熱交換器Ａ１と室外熱交換器Ｗ１との直列体」の経路で循環させる暖房運転を切り替える機能を有することを特徴とする、請求項１、２又は１１に記載のヒートポンプ式空気調和システム、又は、請求項５乃至１３のいずれか一項に記載のヒートポンプ式空気調和・給湯統合システム。
【請求項１５】
（１３）前記貯留水槽（４）、（４”）又は（４”’）における放流手段における放流の実行及び停止を、以下の（カ）、又は、（カ）及び（キ）に基づき制御する放流制御手段
を備えることを特徴とする、請求項１乃至１４のいずれか一項に記載のヒートポンプ式空気調和システム、ヒートポンプ式給湯システム又はヒートポンプ式空気調和・給湯統合システム。
（カ）前記貯留水槽（４）、（４”）又は（４”’）に貯留されている生活排水・雨水の液位情報
（キ）前記貯留水槽（４）、（４”）又は（４”’）に貯留されている前記生活排水・雨水、又は、前記生活排水・雨水と生活用水との混合水の温度情報
【請求項１６】
（１４）前記貯留水槽に生活用水を補給する生活用水補給手段
を備え、
該生活用水補給手段（１４）は、以下の（カ）、又は、（カ）及び（キ）に基づき、生活用水の補給の実行及び停止を行う機能を有する、
ことを特徴とする、請求項１乃至１５のいずれか一項に記載のヒートポンプ式空気調和システム、ヒートポンプ式給湯システム又はヒートポンプ式空気調和・給湯統合システム。
（カ）前記貯留水槽（４）、（４”）又は（４”’）に貯留されている生活排水・雨水の液位情報
（キ）前記貯留水槽（４）、（４”）又は（４”’）に貯留されている前記生活排水・雨水、又は、前記生活排水・雨水と生活用水との混合水の温度情報
【請求項１７】
前記排水・雨水収集供給系統（３）は、以下の（カ）、又は、（カ）及び（キ）に基づき、収集した生活排水及び／又は雨水の一部又は全部を、前記貯留水槽（４）、（４”）又は（４”’）ではなく、下水道配管に放流する機能を有する、
ことを特徴とする、請求項１乃至１６のいずれか一項に記載のヒートポンプ式空気調和システム、ヒートポンプ式給湯システム又はヒートポンプ式空気調和・給湯統合システム。
（カ）前記貯留水槽（４）、（４”）又は（４”’）に貯留されている生活排水・雨水の液位情報
（キ）前記貯留水槽（４）、（４”）又は（４”’）に貯留されている前記生活排水・雨水、又は、前記生活排水・雨水と生活用水との混合水の温度情報
【請求項１８】
排水・雨水収集供給系統は、生活用建屋における高汚濁排水発生箇所から排出される排水を収集対象から除外し、
前記貯留水槽（４）、（４”）又は（４”’）は、貯留されている生活排水・雨水を、生活用建屋内の高汚濁排水発生箇所に接続された給水系統に供給する生活排水・雨水供給手段を有する、
ことを特徴とする、請求項１乃至１７に記載のいずれか一項に記載のヒートポンプ式空気調和システム、ヒートポンプ式給湯システム又はヒートポンプ式空気調和・給湯統合システム。
【発明の詳細な説明】
【技術分野】
【０００１】
本発明は、生活用建屋において使用されるヒートポンプ式の空気調和システム、給湯システム及び両者を統合させた空気調和・給湯統合システムに関し、特に冷熱源又は温熱源として生活排水・雨水を使用するヒートポンプ式の空気調和システム、給湯システム及び空気調和・給湯統合システムに関する。
【背景技術】
【０００２】
石油、天然ガスや石炭などの化石燃料の枯渇を防止するため、あるいは、それら化石燃料を燃焼させる際に発生し、地球温暖化を引き起こすと言われている炭酸ガスの発生を抑制するため、エネルギー消費の抑制が叫ばれている。特に、わが国においては、近年、いわゆる民生部門におけるエネルギー消費の伸びが著しいが、民生部門においては、冷房、暖房及び給湯のために消費されるエネルギーの割合が60%以上を占めているため、これら冷房、暖房及び給湯用途のエネルギー消費の抑制が喫緊の課題になっている。
【０００３】
一般に、民生用の冷房には、共沸混合冷媒や非共沸混合冷媒を用いるヒートポンプ式の空気調和装置が使用される。また、最近のヒートポンプ式空気調和装置は冷暖房併用機が主流となっており、また、給湯用としても炭酸ガスを冷媒として用いるヒートポンプ式の給湯装置が使用されるようになってきている。
このようなヒートポンプ式の空気調和装置又は給湯装置においては、上記のような冷媒が保有する冷熱によって室内空気を冷却したり（冷房の場合）、冷媒が保有する温熱によって室内空気を加熱したり（暖房の場合）、あるいは冷媒が保有する温熱によって水を加熱したり（給湯の場合）するわけであるが、この際、室外に設けられた室外機において、冷媒を冷却（冷房の場合）又は加熱（暖房又は給湯の場合）する必要がある。そして、現在、主流となっているヒートポンプ式の空気調和装置及び給湯装置においては、冷媒の冷却及び加熱を行う室外機は、冷媒が管内を流れる熱交換器に外気を吹き付けて熱交換させることにより冷媒を冷却又は加熱する空冷式を採用している。
【０００４】
しかしながら、一般に空冷式の熱交換器は熱交換効率が悪いため、ヒートポンプ式の空気調和装置又は給湯装置においては、成績係数（＝投入した電力量当たりに除去又は放出される熱量）を高めてエネルギー効率を改善させるには制約がある。特に、室外機が風通しの悪い場所に設置されるような場合には、実際の成績係数は装置の理想値と比較してもさらに低下し、その結果、冷房、暖房又は給湯に多量のエネルギーを消費するようになる。
【０００５】
一方、空冷式のヒートポンプ式空気調和装置を冷房運転する場合には、いわゆるヒートアイランド現象を助長するという別の問題も生じる。すなわち、室外機からは空気調和装置において消費される電力が変換した熱に加えて、室内から除去された熱が大気中に排出されることになるが、この結果として、夏期の都市部での気温の上昇が引き起こされる。特に、住居等が過密に存在しているエリアにおいては、排出熱による気温上昇が室外機での熱交換効率のさらなる低下を引き起こし、空気調和装置の消費電力のアップ→排熱の増加→気温の上昇→室外機での熱交換効率の低下→‥‥‥、という悪循環が生じることになる。
【０００６】
このような空冷式のヒートポンプ式空気調和装置又は給湯装置の問題点を回避するために、冷媒の冷却又は加熱を水又は不凍液（ブライン）との熱交換によって行う水冷式のヒートポンプ式の空気調和装置又は給湯装置が実用化又は提案されている。
そして、それら水冷式ヒートポンプ式の空気調和装置又は給湯装置は大きく以下の２種類に分けられるが、このいずれのタイプの技術においても、以下で説明するような問題が生じる（以下では、説明を簡単にするために、空気調和装置を冷房運転するケースについて説明する）。
第１種：冷媒を「冷却塔又はヒーティングタワーで冷却又は加熱される水又は不凍液」との熱交換によって冷却又は加熱するタイプ（例えば、特許文献１）
第２種：冷媒を「水槽内に貯留された水又は不凍液」との熱交換によって冷却又は加熱するタイプ（例えば、特許文献２又は特許文献３）
【０００７】
まず、第１種の技術においては、冷媒を冷却する冷却水は冷却塔で冷却されるのであるが、冷却塔では冷却水を大気と効率よく接触させるために送風機を備えた大型の装置となり、しかも、冷却塔は通常は屋上に設置されるため、冷却水配管を「冷媒と冷却水が熱交換する熱交換器（通常は建物の下層部に設置される）」と「屋上に設置される冷却塔」の間で配管を引き回さなければならないという問題がある。さらに、冷却水中には、大気との直接接触の際に、埃、微生物、植物の種子などが混入するため、冷却水を頻繁に交換したり、冷却水配管を頻繁に清掃したりしなければならないという問題がある。
【０００８】
次に、第２種の技術においては、水槽内に貯留された水は冷媒からの排熱により温度が上昇するため、その温度上昇を抑えなければならず、そのために、水槽内の水を適宜排水して新しい水を供給したり（特許文献２）、あるいは、水槽を地下に設置し、周囲の土壌への放熱によって冷却したり（特許文献３）する。
しかしながら、前者の方法では、冷房の排熱処理のためだけにフレッシュな水が無駄に使用されることになり、水資源の浪費を引き起こすだけでなく、特に、水槽内に貯留される水として水道水などの生活用水を使用される場合には、その生活用水を製造するためのエネルギーも浪費していることになり、エネルギー使用量の抑制にはつながらない。一方、後者の方法では、周囲の土壌との熱交換だけで排熱しようとすると、必要な熱交換面積は非常に大きなものとなり、結果として、地下水槽を設置するためのコストも大きくなる。
【０００９】
【特許文献１】特開平４−９０４３３
【特許文献２】特開平４−２５７６３０
【特許文献３】特開２００５−１２７６１２
【発明の開示】
【発明が解決しようとする課題】
【００１０】
本発明はこのような事情に鑑みてなされたものであり、その目的とするところは、人が個人又は集団で生活する建屋において使用されるヒートポンプ式空気調和装置又は給湯装置であって、該ヒートポンプ式空気調和装置又は給湯装置の冷媒と熱交換する熱源媒体（水や不凍液）を、冷却塔又はヒーティングタワーで冷却又は加熱したり、大規模な地下水槽において周囲の土壌との熱交換によって冷却又は加熱したり、温度上昇又は低下に応じて排出・再供給したりする必要のないヒートポンプ式空気調和装置又は給湯装置を供給することを提供することを目的とする。
【課題を解決するための手段】
【００１１】
上記目的を達成するために、ヒートポンプ式空気調和システムに係る第１の発明は、（１１）後記室内熱交換器に空気を送る室内送風機と；該室内送風機から送られた空気と「圧縮性流体である冷媒１」とを熱交換させる室内熱交換器と；を備え、人が個人又は集団で生活する建屋（以下、生活用建屋と略記する）の内部に設けられる室内機ユニットと、（１２Ｗ）前記冷媒１と「水、水溶液又はその他の不凍液である熱源媒体１」とを熱交換させる室外熱交換器Ｗ１と、（３）前記生活用建屋から排出される生活排水、及び／又は、生活用建屋に落下する雨水（以下、生活排水・雨水と略記する）を収集して後記貯留水槽に供給する、排水・雨水収集供給系統と、（４）前記排水・雨水収集供給系統から供給される生活排水・雨水、又は、該生活排水・雨水と水道水や井戸水等の生活用水（以下、生活用水と略記する）とを受け入れて貯留する貯留水槽であって、前記生活排水・雨水、又は、前記生活排水・雨水と生活用水との混合水と前記熱源媒体１とを熱交換させる槽内熱交換器１と；前記生活排水・雨水又は該混合水を下水道配管に放流するための放流手段と；を備える貯留水槽と、（１５）前記冷媒１を前記室内熱交換器と前記室外熱交換器Ｗ１との間で循環させるとともに、循環経路中に圧縮機構と膨張機構を備えた冷媒循環系統１と、（１６）前記熱源媒体１を前記室外熱交換器Ｗ１と前記槽内熱交換器１との間で循環させる熱源媒体循環系統１と、を備えるようにしたものである。
この際、冷媒１としては、液相―気相の相転移な可能な物質を使用し、前記室内熱交換器及び前記室外熱交換器Ｗ１において、冷媒１の液相−気相の相転移が生じることにより、冷媒１と熱源媒体１との間で潜熱の移動が生じるようにすることができる。
【００１２】
また、ヒートポンプ式空気調和システムに係る第２の発明は、（１１）後記室内熱交換器に空気を送る室内送風機と；該室内送風機から送られた空気と「圧縮性流体である冷媒１」とを熱交換させる室内熱交換器と；を有し、生活用建屋の内部に設けられる室内機ユニットと、（１２Ａ）後記室外熱交換器Ａ１に外気を送る室外送風機１と；該室外送風機１から送られた外気と前記冷媒１とを熱交換させる室外熱交換器Ａ１と；を有する外気熱交換ユニット１と、（１２Ｗ’）前記室外熱交換器Ａ１に直列に設けられ、前記冷媒１と「水、水溶液又はその他の不凍液である熱源媒体１」とを熱交換させる室外熱交換器Ｗ１と、（３）生活排水・雨水を収集して後記貯留水槽に供給する、排水・雨水収集供給系統と、（４）前記排水・雨水収集供給系統から供給される生活排水・雨水、又は、該生活排水・雨水と生活用水とを受け入れて貯留する貯留水槽であって、前記生活排水・雨水、又は、前記生活排水・雨水と生活用水との混合水と前記熱源媒体１とを熱交換させる槽内熱交換器１と；前記生活排水・雨水又は該混合水を下水道配管に放流するための放流手段と；を有する貯留水槽と、（１５’）前記冷媒１を前記室内熱交換器と「前記室外熱交換器Ａ１と前記室外熱交換器Ｗ１との直列体」との間で循環させるとともに、後循環経路中に圧縮機構と膨張機構を有する冷媒循環系統１と、（１６）前記熱源媒体１を前記室外熱交換器Ｗ１と前記槽内熱交換器１との間で循環させる熱源媒体循環系統１と、を備えるようにしたものである。
この際、冷媒１としては、液相―気相の相転移な可能な物質を使用し、前記室内熱交換器及び「前記室外熱交換器Ａ１及び／又は前記室外熱交換器Ｗ１」において、冷媒１の液相−気相の相転移が生じることにより、冷媒１と熱源媒体１との間で潜熱の移動が生じるようにすることができる。
【００１３】
また、ヒートポンプ式給湯システムに係る第３の発明は、（２１Ｅ）水と「圧縮性流体である冷媒２」とを熱交換させる湯沸熱交換器と、（２１Ｔ）前記湯沸熱交換器で前記冷媒２との熱交換によって生成した湯を貯留する貯湯槽と、（２２Ｗ）前記冷媒２と「水、水溶液又はその他の不凍液である熱源媒体２」とを熱交換させる室外熱交換器Ｗ２と、（３）生活排水・雨水を収集して後記貯留水槽に供給する、排水・雨水収集供給系統と、（４’）前記排水・雨水収集供給系統から供給される生活排水・雨水、又は、該生活排水・雨水と生活用水とを受け入れて貯留する貯留水槽であって、前記生活排水・雨水、又は、前記生活排水・雨水と生活用水との混合水と前記熱源媒体２とを熱交換させる槽内熱交換器２と；前記生活排水・雨水又は該混合水を下水道配管に放流するための放流手段と；を備える貯留水槽と、（２５）循環経路中に圧縮機構と膨張機構を備え、前記冷媒２を「圧縮機構→湯沸熱交換器→膨張機構→室外熱交換器Ｗ２」の経路で循環させる冷媒循環系統２と、（２６）前記熱源媒体２を前記室外熱交換器Ｗ２と前記槽内熱交換器２との間で循環させる熱源媒体循環系統２と、を備えるようにしたものである。
この際、冷媒２としては、二酸化炭素を使用することができる。
【００１４】
また、ヒートポンプ式給湯システムに係る第４の発明は、（２１Ｅ）水と「圧縮性流体である冷媒２」とを熱交換させる湯沸熱交換器と、（２１Ｔ）前記湯沸熱交換器で前記冷媒２との熱交換によって生成した湯を貯留する貯湯槽と、（２２Ａ）後記室外熱交換器Ａ２に外気を送る室外送風機２と；該室外送風機２から送られた外気と前記冷媒２とを熱交換させる室外熱交換器Ａ２と；を有する外気熱交換ユニット２と、（２２Ｗ’）前記室外熱交換器Ａ２に直列に設けられ、前記冷媒２と「水、水溶液又はその他の不凍液である熱源媒体２」とを熱交換させる室外熱交換器Ｗ２と、（３）生活排水・雨水を収集して後記貯留水槽に供給する、排水・雨水収集供給系統と、（４’）前記排水・雨水収集供給系統から供給される生活排水・雨水、又は、該生活排水・雨水と生活用水とを受け入れて貯留する貯留水槽であって、前記生活排水・雨水、又は、前記生活排水・雨水と生活用水との混合水と前記熱源媒体２とを熱交換させる槽内熱交換器２と；前記生活排水・雨水又は該混合水を下水道配管に放流するための放流手段と；を有する貯留水槽と、（２５’）循環経路中に圧縮機構と膨張機構を有し、前記冷媒２を「圧縮機構→湯沸熱交換器→膨張機構→室外熱交換器Ａ２と室外熱交換器Ｗ２との直列体」の経路で循環させる冷媒循環系統２と、（２６）前記熱源媒体２を前記室外熱交換器Ｗ２と前記槽内熱交換器２との間で循環させる熱源媒体循環系統２と、を備えるようにしたものである。
この際、冷媒２としては、二酸化炭素を使用することができる。
【００１５】
また、ヒートポンプ式空気調和・給湯統合システムに係る第５の発明は、（１１）後記室内熱交換器に空気を送る室内送風機と；該室内送風機から送られた空気と「圧縮性流体である冷媒１」とを熱交換させる室内熱交換器と；を備え、生活用建屋の内部に設けられる室内機ユニットと、（２１Ｅ）水と「圧縮性流体である冷媒２」とを熱交換させる湯沸熱交換器と、
（２１Ｔ）前記湯沸熱交換器で前記冷媒２との熱交換によって生成した湯を貯留する貯湯槽と、（１２Ｗ）前記冷媒１と「水、水溶液又はその他の不凍液である熱源媒体１」とを熱交換させる室外熱交換器Ｗ１と、（２２Ｗ）前記冷媒２と「水、水溶液又はその他の不凍液である熱源媒体２」とを熱交換させる室外熱交換器Ｗ２と、（３）生活排水・雨水を収集して後記貯留水槽に供給する、排水・雨水収集供給系統と、（４”）前記排水・雨水収集供給系統から供給される生活排水・雨水、又は、該生活排水・雨水と生活用水とを受け入れて貯留する貯留水槽であって、前記生活排水・雨水、又は、前記生活排水・雨水と生活用水との混合水と前記熱源媒体１とを熱交換させる槽内熱交換器１と；前記生活排水・雨水又は該混合水と前記熱源媒体２とを熱交換させる槽内熱交換器２と；前記生活排水・雨水又は該混合水を下水道配管に放流するための放流手段と；を備える貯留水槽と、（１５）前記冷媒１を前記室内熱交換器と前記室外熱交換器Ｗ１との間で循環させるとともに、循環経路中に圧縮機構と膨張機構を備えた冷媒循環系統１と、（２５）循環経路中に圧縮機構と膨張機構を備え、前記冷媒２を「圧縮機構→湯沸熱交換器→膨張機構→室外熱交換器Ｗ２」の経路で循環させる冷媒循環系統２と、（１６）前記熱源媒体１を前記室外熱交換器Ｗ１と前記槽内熱交換器１との間で循環させる熱源媒体循環系統１と、（２６）前記熱源媒体２を前記室外熱交換器Ｗ２と前記槽内熱交換器２との間で循環させる熱源媒体循環系統２と、を備えるようにしたものである。
【００１６】
また、ヒートポンプ式空気調和・給湯統合システムに係る第６の発明は、（１１）後記室内熱交換器に空気を送る室内送風機と；該室内送風機から送られた空気と「圧縮性流体である冷媒１」とを熱交換させる室内熱交換器と；を有し、生活用建屋の内部に設けられる室内機ユニットと、（２１Ｅ）水と「圧縮性流体である冷媒２」とを熱交換させる湯沸熱交換器と、（２１Ｔ）前記湯沸熱交換器で前記冷媒２との熱交換によって生成した湯を貯留する貯湯槽と、（１２Ａ）後記室外熱交換器Ａ１に外気を送る室外送風機１と；該室外送風機１から送られた外気と前記冷媒１とを熱交換させる室外熱交換器Ａ１と；を有する外気熱交換ユニット１と、（１２Ｗ’）前記室外熱交換器Ａ１に直列に設けられ、前記冷媒１と「水、水溶液又はその他の不凍液である熱源媒体１」とを熱交換させる室外熱交換器Ｗ１と、（２２Ａ）後記室外熱交換器Ａ２に外気を送る室外送風機２と；該室外送風機２から送られた外気と前記冷媒２とを熱交換させる室外熱交換器Ａ２と；を有する外気熱交換ユニット２と、（２２Ｗ’）前記室外熱交換器Ａ２に直列に設けられ、前記冷媒２と「水、水溶液又はその他の不凍液である熱源媒体２」とを熱交換させる室外熱交換器Ｗ２と、（３）生活排水・雨水を収集して後記貯留水槽に供給する、排水・雨水収集供給系統と、（４”）前記排水・雨水収集供給系統から供給される生活排水・雨水、又は、該生活排水・雨水と生活用水とを受け入れて貯留する貯留水槽であって、前記生活排水・雨水、又は、前記生活排水・雨水と生活用水との混合水と前記熱源媒体１とを熱交換させる槽内熱交換器１と；前記生活排水・雨水又は該混合水と前記熱源媒体２とを熱交換させる槽内熱交換器２と；前記生活排水・雨水又は該混合水を下水道配管に放流するための放流手段と；を有する貯留水槽と、（１５’）前記冷媒１を前記室内熱交換器と「前記室外熱交換器Ａ１と前記室外熱交換器Ｗ１との直列体」との間で循環させるとともに、後循環経路中に圧縮機構と膨張機構を有する冷媒循環系統１と、（２５’）循環経路中に圧縮機構と膨張機構を有し、前記冷媒２を「圧縮機構→湯沸熱交換器→膨張機構→室外熱交換器Ａ２と室外熱交換器Ｗ２との直列体」の経路で循環させる冷媒循環系統２と、（１６）前記熱源媒体１を前記室外熱交換器Ｗ１と前記槽内熱交換器１との間で循環させる熱源媒体循環系統１と、（２６）前記熱源媒体２を前記室外熱交換器Ｗ２と前記槽内熱交換器２との間で循環させる熱源媒体循環系統２と、を備えるようにしたものである。
【００１７】
また、ヒートポンプ式空気調和・給湯統合システムに係る第７の発明は、（１１）後記室内熱交換器に空気を送る室内送風機と；該室内送風機から送られた空気と「圧縮性流体である冷媒１」とを熱交換させる室内熱交換器と；を備え、生活用建屋の内部に設けられる室内機ユニットと、（２１Ｅ）水と「圧縮性流体である冷媒２」とを熱交換させる湯沸熱交換器と、
（２１Ｔ）前記湯沸熱交換器で前記冷媒２との熱交換によって生成した湯を貯留する貯湯槽と、（１２Ｗ）前記冷媒１と「水、水溶液又はその他の不凍液である熱源媒体３」とを熱交換させる室外熱交換器Ｗ１と、（２２Ｗ）前記冷媒２と「水、水溶液又はその他の不凍液である熱源媒体３」とを熱交換させる室外熱交換器Ｗ２と、（３）生活排水・雨水を収集して後記貯留水槽に供給する、排水・雨水収集供給系統と、（４”’）前記排水・雨水収集供給系統から供給される生活排水・雨水、又は、該生活排水・雨水と生活用水とを受け入れて貯留する貯留水槽であって、前記生活排水・雨水、又は、前記生活排水・雨水と生活用水との混合水と前記熱源媒体３とを熱交換させる槽内熱交換器３と；前記生活排水・雨水又は該混合水を下水道配管に放流するための放流手段と；を備える貯留水槽と、（１５）前記冷媒１を前記室内熱交換器と前記室外熱交換器Ｗ１との間で循環させるとともに、循環経路中に圧縮機構と膨張機構を備えた冷媒循環系統１と、（２５）循環経路中に圧縮機構と膨張機構を備え、前記冷媒２を「圧縮機構→湯沸熱交換器→膨張機構→室外熱交換器Ｗ２」の経路で循環させる冷媒循環系統２と、（７）前記熱源媒体３を「室外熱交換器Ｗ１→室外熱交換器Ｗ２→槽内熱交換器３」又は「室外熱交換器Ｗ２→室外熱交換器Ｗ１→槽内熱交換器３」のいずれかの経路で循環させる熱源媒体循環系統３と、を備えるようにしたものである。
【００１８】
また、ヒートポンプ式空気調和・給湯統合システムに係る第８の発明は、（１１）後記室内熱交換器に空気を送る室内送風機と；該室内送風機から送られた空気と「圧縮性流体である冷媒１」とを熱交換させる室内熱交換器と；を有し、生活用建屋の内部に設けられる室内機ユニットと、（２１Ｅ）水と「圧縮性流体である冷媒２」とを熱交換させる湯沸熱交換器と、（２１Ｔ）前記湯沸熱交換器で前記冷媒２との熱交換によって生成した湯を貯留する貯湯槽と、（１２Ａ）後記室外熱交換器Ａ１に外気を送る室外送風機１と；該室外送風機１から送られた外気と前記冷媒１とを熱交換させる室外熱交換器Ａ１と；を有する外気熱交換ユニット１と、（１２Ｗ’）前記室外熱交換器Ａ１に直列に設けられ、前記冷媒１と「水、水溶液又はその他の不凍液である熱源媒体３」とを熱交換させる室外熱交換器Ｗ１と、（２２Ａ）後記室外熱交換器Ａ２に外気を送る室外送風機２と；該室外送風機２から送られた外気と前記冷媒２とを熱交換させる室外熱交換器Ａ２と；を有する外気熱交換ユニット２と、（２２Ｗ’）前記室外熱交換器Ａ２に直列に設けられ、前記冷媒２と「水、水溶液又はその他の不凍液である熱源媒体３」とを熱交換させる室外熱交換器Ｗ２と、（３）生活排水・雨水を収集して後記貯留水槽に供給する、排水・雨水収集供給系統と、（４”’）前記排水・雨水収集供給系統から供給される生活排水・雨水、又は、該生活排水・雨水と生活用水とを受け入れて貯留する貯留水槽であって、前記生活排水・雨水、又は、前記生活排水・雨水と生活用水との混合水と前記熱源媒体３とを熱交換させる槽内熱交換器３と；前記生活排水・雨水又は該混合水を下水道配管に放流するための放流手段と；を有する貯留水槽と、（１５’）前記冷媒１を前記室内熱交換器と「前記室外熱交換器Ａ１と前記室外熱交換器Ｗ１との直列体」との間で循環させるとともに、後循環経路中に圧縮機構と膨張機構を有する冷媒循環系統１と、（２５’）循環経路中に圧縮機構と膨張機構を有し、前記冷媒２を「圧縮機構→湯沸熱交換器→膨張機構→室外熱交換器Ａ２と室外熱交換器Ｗ２との直列体」の経路で循環させる冷媒循環系統２と、（７）前記熱源媒体３を「室外熱交換器Ｗ１→室外熱交換器Ｗ２→槽内熱交換器３」又は「室外熱交換器Ｗ２→室外熱交換器Ｗ１→槽内熱交換器３」のいずれかの経路で循環させる熱源媒体循環系統３と、を備えるようにしたものである。
【００１９】
また、ヒートポンプ式空気調和・給湯統合システムに係る第９の発明は、第７又は第８の発明のヒートポンプ式空気調和・給湯統合システムにおいて、前記熱源媒体循環系統３（７）は経路切り替え手段を有し、該経路切り替え手段の切り替えによって、熱源媒体３の循環経路を「室外熱交換器Ｗ１←→槽内熱交換器３」及び／又は「室外熱交換器Ｗ２←→槽内熱交換器３」に切り替える機能を有するようにしたものである。
【００２０】
また、ヒートポンプ式空気調和・給湯統合システムに係る第１０の発明は、第７乃至第９のいずれか一つの発明のヒートポンプ式空気調和・給湯統合システムにおいて、前記貯留水槽（４”’）は、前記生活排水・雨水と「水、水溶液又はその他の不凍液である熱源媒体１」とを熱交換させる槽内熱交換器１を有した上で、（１６）前記熱源媒体１を前記室外熱交換器Ｗ１と前記槽内熱交換器１との間で循環させる熱源媒体循環系統１を備え、前記熱源媒体循環系統３（７）と前記熱源媒体循環系統１（１６）とは一体的な系統を構成した上で、経路切り替え手段を有し、該経路切り替え手段の切り替えによって、室外熱交換器Ｗ１に熱源媒体１が供給される運転モードと、室外熱交換器Ｗ１に熱源媒体３が供給される運転モードを切り替える機能を有するようにしたものである。
【００２１】
また、ヒートポンプ式空気調和システム又はヒートポンプ式空気調和・給湯統合システムに係る第１１の発明は、第２の発明のヒートポンプ式空気調和システム、又は、第６又は第１０の発明のヒートポンプ式空気調和・給湯統合システムにおいて、（１６Ｃ）前記熱源媒体循環系統１の運転及び停止を、以下の「（ア）及び／又は（イ）」、又は、「（ア）及び／又は（イ）」及び「（ウ）及び／又は（エ）」に基づき制御する制御する熱交換制御手段１を備えるようにしたものである。
（ア）前記貯留水槽（４）、（４”）又は（４”’）に貯留されている前記生活排水・雨水、又は、前記生活排水・雨水と生活用水との混合水の温度情報
（イ）熱源媒体１の温度情報
（ウ）外気温度情報
（エ）前記生活用建屋内の室内温度情報
【００２２】
また、ヒートポンプ式給湯システム又はヒートポンプ式空気調和・給湯統合システムに係る第１２の発明は、第４の発明のヒートポンプ式給湯システム、又は、第６の発明のヒートポンプ式空気調和・給湯統合システムにおいて、（２６Ｃ）前記熱源媒体循環系統２の運転及び停止を、以下の「（ア’）及び／又は（イ’）」、又は、「（ア’）及び／又は（イ’）」及び「（ウ）及び／又は（オ）」に基づき制御する熱交換制御手段２を備えるようにしたものである。
（ア’）前記貯留水槽（４’）又は（４”）に貯留されている前記生活排水・雨水、又は、前記生活排水・雨水と生活用水との混合水の温度情報
（イ’）熱源媒体２の温度情報
（ウ）外気温度情報
（オ）貯湯槽（２１Ｔ）内の湯温度情報
【００２３】
また、ヒートポンプ式空気調和・給湯統合システムに係る第１３の発明は、第１０の発明のヒートポンプ式空気調和・給湯統合システムにおいて、（７Ｃ）前記熱源媒体循環系統３の運転及び停止を、以下の「（ア”’）及び／又は（イ）」、又は、「（ア”’）及び／又は（イ）」及び「（ウ）〜（オ）のうちの少なくとも一つ」に基づき制御する熱交換制御手段３を備えるようにしたものである。
（ア”’）前記貯留水槽（４”’）における温度測定手段で測定された温度情報
（イ）熱源媒体３の温度情報
（ウ）外気温度情報
（エ）生活用建屋内の室内温度情報
（オ）貯湯槽（２１Ｔ）内の湯温度情報
【００２４】
また、ヒートポンプ式空気調和システム又はヒートポンプ式空気調和・給湯統合システムに係る第１４の発明は、第１、第２又は第３の発明のヒートポンプ式空気調和システム、又は、第５乃至第１３のいずれか一つの発明のヒートポンプ式空気調和・給湯統合システムにおいて、前記冷媒循環系統１（１５）又（１５’）は経路切り替え手段を有し、該経路切り替え手段の切り替えによって、冷媒１を「圧縮機構→室外熱交換器Ｗ１→膨張機構→室内熱交換器」又は「圧縮機構→室外熱交換器Ａ１と室外熱交換器Ｗ１との直列体→膨張機構→室内熱交換器」の経路で循環させる冷房運転と、冷媒１を「圧縮機構→室内熱交換器→膨張機構→室外熱交換器Ｗ１」又は「圧縮機構→室内熱交換器→膨張機構→室外熱交換器Ａ１と室外熱交換器Ｗ１との直列体」の経路で循環させる暖房運転を切り替える機能を有するようにしたものである。
【００２５】
また、ヒートポンプ式空気調和システム、ヒートポンプ式給湯システム又はヒートポンプ式空気調和・給湯統合システムに係る第１５の発明は、第１乃至第１４のいずれか一つの発明のヒートポンプ式空気調和システム、ヒートポンプ式給湯システム又はヒートポンプ式空気調和・給湯統合システムにおいて、前記貯留水槽（４）、（４”）又は（４”’）は、貯留されている生活排水・雨水の液位を測定する液位測定手段を有した上で、（１３）前記貯留水槽（４）、（４”）又は（４”’）における放流手段における放流の実行及び停止を制御する放流制御手段を備え、該放流制御手段（１３）は、以下の（カ）、又は、（カ）及び（キ）に基づき制御を行うようにしたものである。
（カ）前記貯留水槽（４）、（４”）又は（４”’）における液位測定手段で測定された液位情報
（キ）前記貯留水槽（４）、（４”）又は（４”’）貯留されている前記生活排水・雨水、又は、前記生活排水・雨水と生活用水との混合水の温度情報
【００２６】
また、ヒートポンプ式空気調和システム、ヒートポンプ式給湯システム又はヒートポンプ式空気調和・給湯統合システムに係る第１６の発明は、第１乃至第１５のいずれか一つの発明のヒートポンプ式空気調和システム、ヒートポンプ式給湯システム又はヒートポンプ式空気調和・給湯統合システムにおいて、前記貯留水槽（４）、（４”）又は（４”’）は、貯留されている生活排水・雨水の液位を測定する液位測定手段を有した上で、（１４）前記貯留水槽に生活用水を補給する生活用水補給手段を備え、該生活用水補給手段（１４）は、以下の（カ）、又は、（カ）及び（キ）に基づき、生活用水の補給の実行及び停止を行う機能を有するようにしたものである。
（カ）前記貯留水槽（４）、（４”）又は（４”’）における液位測定手段で測定された液位情報
（キ）前記貯留水槽（４）、（４”）又は（４”’）貯留されている前記生活排水・雨水、又は、前記生活排水・雨水と生活用水との混合水の温度情報
【００２７】
また、ヒートポンプ式空気調和システム、ヒートポンプ式給湯システム又はヒートポンプ式空気調和・給湯統合システムに係る第１７の発明は、第１乃至第１６のいずれか一つの発明のヒートポンプ式空気調和システム、ヒートポンプ式給湯システム又はヒートポンプ式空気調和・給湯統合システムにおいて、前記貯留水槽（４）、（４”）又は（４”’）は、貯留されている生活排水・雨水の液位を測定する液位測定手段を有した上で、
前記排水・雨水収集供給系統（３）は、以下の（カ）、又は、（カ）及び（キ）に基づき、収集した生活排水及び／又は雨水の一部又は全部を、前記貯留水槽（４）、（４”）又は（４”’）ではなく、下水道配管に放流する機能を有するようにしたものである。
（カ）前記貯留水槽（４）、（４”）又は（４”’）における液位測定手段で測定された液位情報
（キ）前記貯留水槽（４）、（４”）又は（４”’）貯留されている前記生活排水・雨水、又は、前記生活排水・雨水と生活用水との混合水の温度情報
【００２８】
また、ヒートポンプ式空気調和システム、ヒートポンプ式給湯システム又はヒートポンプ式空気調和・給湯統合システムに係る第１８の発明は、第１乃至第１７のいずれか一つの発明のヒートポンプ式空気調和システム、ヒートポンプ式給湯システム又はヒートポンプ式空気調和・給湯統合システムにおいて、排水・雨水収集供給系統は、生活用建屋における高汚濁排水発生箇所から排出される排水を収集対象から除外し、前記貯留水槽（４）、（４”）又は（４”’）は、貯留されている生活排水・雨水を、生活用建屋内の高汚濁排水発生箇所に接続された給水系統に供給する生活排水・雨水供給手段を有するようにしたものである。
【発明の効果】
【００２９】
第１、第２、第１１、又は、第１４乃至第１８のいずれか一つの発明のヒートポンプ式空気調和システム、又は、第５乃至第１８のいずれか一つの発明のヒートポンプ式空気調和・給湯統合システムにおいては、冷媒１を室外熱交換器Ｗ１において熱源媒体１（又は熱源媒体３）と熱交換させることによって冷却（冷房の場合）又は加熱（暖房の場合）するため、空冷式のヒートポンプ式空気調和装置のように、室外機における熱交換効率が悪いが故に多量のエネルギーを消費したり、冷房運転の際にヒートアイランド現象を助長したりする問題を回避又は軽減することができる。
【００３０】
また、熱源媒体１（又は熱源媒体３）は、閉経路である熱源媒体循環系統１（又は熱源媒体循環系統３）を循環し、冷房や暖房に伴って生じた温廃熱や冷廃熱は貯留槽内の生活排水・雨水に移行するため、当然のことながら、第１種の従来技術のように大型の装置である冷却塔やヒーティングタワーを設置したり、冷却塔やヒーティングタワーとの間で配管を引き回したりする必要がない。また、熱源媒体が外気と直接接触することがないため熱源媒体が汚染されることはなく、したがって、熱源媒体を頻繁に交換したり、熱源媒体配管を頻繁に清掃したりする手間も要しない。
【００３１】
さらに、本発明のヒートポンプ式空気調和システムを運転した場合、又は、本発明のヒートポンプ式空気調和・給湯統合システムを冷暖房運転した場合、冷媒１→熱源媒体１（又は熱源媒体３）→貯留水槽内の生活排水・雨水という順に温熱（冷房の場合）又は冷熱（暖房の場合）が移動することにより、貯留水槽内の生活排水・雨水の温度が上昇（冷房の場合）又は低下（暖房の場合）するが、該貯留水槽には、生活用建屋で人が生活している限り、排水・雨水収集供給系統から適宜新しい生活排水・雨水が流入し、温度が上昇又は低下した貯留水と置換するため、貯留水槽内の生活排水・雨水の温度は一定範囲内に留まる。このため、第２種の従来技術のように、水槽内の水の温度変化を抑制するためだけに新しい生活用水を消費したり、周囲の土壌との間での熱交換面積を確保するために大型の地下水槽を設けたりする必要もない。
【００３２】
このうち特に第２又は第１１の発明のヒートポンプ式空気調和システム、又は、第６、第１１又は第１３の発明のヒートポンプ式空気調和・給湯統合システムにおいては、冷媒１を、熱源媒体１（又は熱源媒体３）との熱交換に加えて、外気との熱交換によってもの冷却（冷房の場合）又は加熱（暖房の場合）するため、熱交換効率をさらに向上することができる。さらに特に第１１の発明のヒートポンプ式空気調和システム、又は、第１１又は第１３の発明のヒートポンプ式空気調和・給湯統合システムにおいては、新しい生活排水・雨水の流入が少なく、温度が上昇又は低下した貯留水との置換があまり起こらず、貯留水槽内の生活排水・雨水の温度が過上昇（冷房の場合）又は過低下（暖房の場合）した場合に、熱源媒体１（又は熱源媒体３）の循環を停止することができる。これによって、貯留水槽内の生活排水・雨水の温度の過上昇又は過冷却→熱源媒体１（又は熱源媒体３）の過上昇又は過冷却→冷媒１の熱交換効率の低下という悪連鎖を回避することができる。
【００３３】
第３、第４、第１２、又は、第１４乃至第１８のいずれか一つの発明のヒートポンプ式給湯システム、又は、第５乃至第１８のいずれか一つの発明のヒートポンプ式空気調和・給湯統合システムにおいては、冷媒２を室外熱交換器Ｗ２において熱源媒体２（又は熱源媒体３）と熱交換させることによって加熱するため、空冷式のヒートポンプ式給湯装置のように、室外機における熱交換効率が悪いが故に多量のエネルギーを消費する問題を回避又は軽減することができる。
【００３４】
また、熱源媒体２（又は熱源媒体３）は、閉経路である熱源媒体循環系統２（又は熱源媒体循環系統３）を循環し、給湯に伴って生じた冷廃熱は貯留槽内の生活排水・雨水に移行するため、当然のことながら、第１種の従来技術のように大型の装置であるヒーティングタワーを設置したり、ヒーティングタワーとの間で配管を引き回したりする必要がない。また、熱源媒体が外気と直接接触することがないため熱源媒体が汚染されることはなく、したがって、熱源媒体を頻繁に交換したり、熱源媒体配管を頻繁に清掃したりする手間も要しない。
【００３５】
さらに、本発明のヒートポンプ式給湯システムを運転した場合、又は、本発明のヒートポンプ式空気調和・給湯統合システムを湯沸運転した場合、冷媒２→熱源媒体２（又は熱源媒体３）→貯留水槽内の生活排水・雨水という順に冷熱が移動することにより貯留水槽内の生活排水・雨水の温度が低下するが、該貯留水槽には、生活用建屋で人が生活している限り、排水・雨水収集供給系統から適宜新しい生活排水・雨水が流入し、温度が低下した貯留水と置換するため、貯留水槽内の生活排水・雨水の温度は一定範囲内に留まる。このため、第２種の従来技術のように、水槽内の水の温度変化を抑制するためだけに新しい生活用水を消費したり、周囲の土壌との間での熱交換面積を確保するために大型の地下水槽を設けたりする必要もない。
【００３６】
このうち特に第４又は第１２の発明のヒートポンプ式給湯システム、又は、第６、第１２又は第１３の発明のヒートポンプ式空気調和・給湯統合システムにおいては、冷媒２を、熱源媒体２（又は熱源媒体３）との熱交換に加えて、外気との熱交換によってもの加熱するため、熱交換効率をさらに向上することができる。さらに特に第１２の発明のヒートポンプ式給湯システム、又は、第１２又は第１２の発明のヒートポンプ式空気調和・給湯統合システムにおいては、新しい生活排水・雨水の流入が少なく、温度が低下した貯留水との置換があまり起こらず、貯留水槽内の生活排水・雨水の温度が過低下した場合に、熱源媒体２（又は熱源媒体３）の循環を停止することができる。これによって、貯留水槽内の生活排水・雨水の温度の過冷却→熱源媒体２（又は熱源媒体３）の過冷却→冷媒２の熱交換効率の低下という悪連鎖を回避することができる。
【００３７】
また、第５又は第６の発明のヒートポンプ式空気調和・給湯統合システムにおいては、排水・雨水収集供給系統及び貯留水槽が空気調和用と給湯用に併用できるため、設備の有効利用の点で効果的である。しかも、特に、本発明のヒートポンプ式空気調和・給湯統合システムを「冷房＋湯沸」併用運転している場合、冷媒１→熱源媒体１→貯留水槽内の生活排水・雨水の順に移動する温熱と、冷媒２→熱源媒体２→貯留水槽内の生活排水・雨水の順に移動する冷熱がお互いに打ち消しあうことによって、貯留水槽内の生活排水・雨水の温度が一方方向に上昇又は低下することが抑制されるため、熱源媒体１及び熱源媒体２の温度も一定に保たれるようになる。この結果、室外熱交換器Ｗ１及び室外熱交換器Ｗ２での熱交換効率も良好に保たれるため、冷房及び給湯におけるエネルギー効率も装置の理想値に近い値を保つことができるようになる。
【００３８】
一方、第７乃至第１０のいずれか一つの発明のヒートポンプ式空気調和・給湯統合システムにおいては、第５又は第６の発明のヒートポンプ式空気調和・給湯統合システムと同様の効果が実現できるだけでなく、「冷房＋湯沸」併用運転時に良好なエネルギー効率を実現するという効果がより一層顕著なものとなる。すなわち、熱源媒体３が冷媒１と冷媒２の双方と熱交換し、「室外熱交換器Ｗ１→室外熱交換器Ｗ２→槽内熱交換器３」又は「室外熱交換器Ｗ２→室外熱交換器Ｗ１→槽内熱交換器３」の経路で循環されるため、冷媒１からの温熱が給湯に有効に利用される、又は、冷媒２からの冷熱が冷房に有効に利用されることによって、給湯又は冷房のエネルギー効率が高められる。
【００３９】
なお、このうち特に第９又は１０の発明のヒートポンプ式空気調和・給湯統合システムにおいては、冷房単独運転、暖房単独運転又は湯沸単独運転において、熱源媒体３がそれぞれ必要な熱交換器（室外熱交換器Ｗ１又は室外熱交換器Ｗ２）のみを循環するようにできる。また、「暖房＋湯沸」併用運転時に、熱源媒体３を「室外熱交換器Ｗ１→室外熱交換器Ｗ２→槽内熱交換器３」又は「室外熱交換器Ｗ２→室外熱交換器Ｗ１→槽内熱交換器３」の経路で循環させて冷媒１と冷媒２の双方と熱交換させると、「冷房＋給湯」併用の場合とは逆に、給湯又は暖房のエネルギー効率が悪くなるこという問題が生じるが、第１０の発明のヒートポンプ式空気調和・給湯統合システムにおいては、この問題を回避するために、室外熱交換器Ｗ１には熱源媒体１が、室外熱交換器Ｗ２には熱源媒体３が、それぞれ別個に循環するようにすることができる。
【００４０】
また、第１５の発明のヒートポンプ式空気調和システム、ヒートポンプ式給湯システム又はヒートポンプ式空気調和・給湯統合システムにおいては、例えば、貯留水槽内の生活排水・雨水の液位、又は、液位及び温度が一定範囲に留まるように放流の実行及び停止が行われる。
さらにこれに加えて、貯留水槽内の生活排水・雨水の温度が適正範囲を逸脱した場合に、生活排水・雨水を下水道配管に放流し、第１６の発明のヒートポンプ式空気調和システム、ヒートポンプ式給湯システム又はヒートポンプ式空気調和・給湯統合システムにおける生活用水補給手段の援けを借りて、温度が適正範囲を逸脱した生活排水・雨水を生活排水で置換・稀釈することにより、貯留水槽内の（生活用水で稀釈された）生活排水・雨水の温度を適正範囲に戻すことができる。
【００４１】
また、第１６の発明のヒートポンプ式空気調和システム、ヒートポンプ式給湯システム又はヒートポンプ式空気調和・給湯統合システムにおいては、上記のように「温度上昇又は低下→放流→液位の低下→生活用水の補給」というステップを経ることによってだけではなく、温度情報から直接に生活用水を補給して、貯留水槽内の（生活用水で稀釈された）生活排水・雨水の温度を適正範囲に戻すことができる。
なお、本発明のヒートポンプ式空気調和システム、ヒートポンプ式給湯システム又はヒートポンプ式空気調和・給湯統合システムにおいては、貯留水槽内の生活排水・雨水の温度を一定範囲に保つのは、一義的には、上記のように生活用建屋内で発生する生活排水が流入することによる置換効果によるものであって、生活用水の補給はあくまでも補助的なものである。したがって、この発明の実施においては、熱源媒体の温度を適正に保つために第２種の従来技術のように大量のフレッシュな水を浪費することはない。
【００４２】
また、第１７の発明のヒートポンプ式空気調和システム、ヒートポンプ式給湯システム又はヒートポンプ式空気調和・給湯統合システムにおいては、例えば、冷媒循環系統１と冷媒循環系統２のいずれもが運転していない（→空気調和も給湯も行っていない）場合に、すべての生活排水・雨水を直接下水道配管に放流することにより、貯留水槽を経由して下水道配管に放流することに伴う装置の消耗、エネルギーの使用を回避することができる。
あるいは、ヒートポンプ式空気調和システム又はヒートポンプ式空気調和・給湯統合システムを冷房（単独）運転している際に、貯留水槽内の生活排水・雨水の温度が十分に低い場合に、温度が高い風呂からの排水だけを直接下水道配管に放流するようにすることもできる。
【００４３】
また、第１８の発明のヒートポンプ式空気調和システム、ヒートポンプ式給湯システム又はヒートポンプ式空気調和・給湯統合システムにおいては、トイレなど高汚濁排水が発生する箇所から排出される排水が貯留水槽に流入しないため、貯留水槽内に設置される槽内熱交換器の表面に汚濁物が付着して熱交換効率が低下したり、槽内熱交換器が腐食したりすることを回避できる。しかも、貯留水槽に貯留された汚濁度の低い生活排水・雨水をトイレなどの高汚濁排水発生箇所で再利用することによって、生活建屋全体としての生活用水の使用量が低減できるというメリットもある。
【発明を実施するための最良の形態】
【００４４】
以下、図面を参照して本発明の実施の形態について説明する。ただし、本発明はかかる実施形態に限定されず、その技術思想の範囲内で種々の変更が可能である。なお、以下の説明では、生活用建屋の一例として家屋を挙げて説明するが、生活用建屋は家屋に限定されず、人が集団で生活する学校、病院、オフィスビルなども含む。
【００４５】
（第１の実施形態）
図１は、本発明の第１の実施形態に係るヒートポンプ式空気調和システムの機器構成と、該空気調和システムを冷房運転している場合の冷媒及び熱源媒体の循環経路を説明するための構成図である。
【００４６】
本実施形態のヒートポンプ式空気調和システムは、家屋1の内部に設けられた室内機ユニット2、家屋1の外部に設けられた室外機ユニット3、地中部に設けられた貯留水槽5、及びそれらを接続する配管から構成される。
【００４７】
室内機ユニット2は、室内送風機21及びフィンチューブ式の熱交換器である室内熱交換器22を備える。
一方、室外機ユニット3は、鋼板製又はプラスチック製の筐体に、プレート式の熱交換器である室外熱交換器Ｗ１_31W、圧縮機１_32、膨張弁１_33、循環ポンプ１_34、四方弁Ａ_35及び四方弁Ｂ_36を備える。この際、室外熱交換器Ｗ１_31Wは、筐体の内部に収納しても、筐体の一面を構成させてもよい。
【００４８】
貯留水槽5は、多管式の熱交換器である槽内熱交換器１_51を内部に備える。室内機ユニット2においては、室内送風機21が家屋1内の空気を室内熱交換器22に吹き付け、一方、貯留水槽5には、家屋1内から排出された生活排水及び家屋1に落下した雨水が、排水・雨水収集供給系統（図１には示されない）から供給されて貯留されている。
なお、貯留水槽5は鋼板製であり、周囲の土壌との間での熱交換効率を高めるため、土壌側の壁面には熱伝導面積を増やすためにフィンが設けられており、これによって、貯留水槽5に貯留された生活排水・雨水の温度が著しく上昇したり、低下したりすることを防ぐことができる。ただし、周囲の土壌との熱交換はあくまでも補助的なものであって、本実施形態のヒートポンプ式空気調和システムにおいては、熱交換面積を確保するために第２種の従来技術のように貯留水槽5を大規模にする必要はない。
また、槽内熱交換器１_51は貯留水槽5の内部に設けても良いが、例えば、貯留水槽5の側面を水管壁としたり、貯留水槽5をタンクジャケット式熱交換器としたりすることによって、貯留水槽5と槽内熱交換器１_51とを一体化することも可能である。
【００４９】
図１に太実線で示す通り、冷房運転においては、共沸混合冷媒又は非共沸混合冷媒である冷媒１は、室内熱交換器22→四方弁Ａ_35→圧縮機１_32→四方弁Ａ_35→室外熱交換器Ｗ１_31W→膨張弁１_33→室内熱交換器22の経路で、水又は不凍液である熱源媒体１は、槽内熱交換器１_51→循環ポンプ１_34→四方弁Ｂ_36→室外熱交換器Ｗ１_31W→四方弁Ｂ_36→槽内熱交換器１_51の経路で、それぞれ循環する。そして、家屋1内の空気と冷媒１とが室内熱交換器22で、冷媒１と熱源媒体１とが室外熱交換器Ｗ１_31Wで、熱源媒体１と貯留水槽5内の生活排水・雨水とが槽内熱交換器１_51で、それぞれ熱交換することにより、家屋1内の空気から貯留水槽5内の生活排水・雨水へ温熱が移動する。
上記の温熱移動の結果として、貯留水槽5内の生活排水・雨水の温度は一時的に上昇するが、排水・雨水収集供給系統から新たに生活排水又は雨水が供給されるたびに、高温の生活排水・雨水は比較的低温の生活排水・雨水によって置換又は稀釈されることにより、貯留水槽5内の生活排水・雨水の温度が適正範囲に留まる。
【００５０】
図２は、本発明の第１の実施形態に係るヒートポンプ式空気調和システムを暖房運転している場合の冷媒及び熱源媒体の循環経路を説明するための構成図である。
暖房運転においては、冷媒１及び熱源媒体２の循環経路は、四方弁Ａ_35及び四方弁Ｂ_36の切り替えにより図２に太実線で示す通りに切り替わる。この場合でも、冷房運転の場合と同じく、冷媒１と熱源媒体１とは、室外熱交換器Ｗ１_31Wにおいて対向に流れるため、冷媒１と熱源媒体１との間の熱交換は効率的に行われる。そして、冷房の場合と同様の熱交換が行われることにより、最終的には、家屋1内の空気から貯留水槽5内の生活排水・雨水へ冷熱が移動する。
上記の冷熱移動の結果として、貯留水槽5内の生活排水・雨水の温度は一時的に低下するが、排水・雨水収集供給系統から新たに生活排水又は雨水が供給されるたびに、高温の生活排水・雨水は比較的低温の生活排水・雨水によって置換又は稀釈されることにより、貯留水槽5内の生活排水・雨水の温度が適正範囲に留まる。
【００５１】
（第２の実施形態）
図３は、本発明の第２の実施形態に係るヒートポンプ式空気調和システムの機器構成と、該空気調和システムを冷房運転している場合の冷媒及び熱源媒体の循環経路を説明するための構成図である。
また、図４は、本発明の第２の実施形態に係るヒートポンプ式空気調和システムを暖房運転している場合の冷媒及び熱源媒体の循環経路を説明するための構成図である。
【００５２】
本実施形態のヒートポンプ式空気調和システムは、冷媒１の循環系統において、膨張弁１_33と室外熱交換器Ｗ１_31Wとの間にフィンチューブ式の熱交換器である室外熱交換器Ａ１_31Aが設けられるとともに、室外熱交換器Ａ１_31Aに外気を送る室外送風機１_31Aが設けられることを除いて、基本的な機器構成は第１の実施形態のヒートポンプ式空気調和システムと同じである。すなわち、本実施形態においては、室外機ユニット3は、鋼板製又はプラスチック製の筐体に、室外熱交換器Ｗ１_31W、室外熱交換器Ａ１_31A、室外送風機１_31A、圧縮機１_32、膨張弁１_33、循環ポンプ１_34、四方弁Ａ_35及び四方弁Ｂ_36を備える。この際、室外熱交換器Ｗ１_31Wは、筐体の内部に収納しても、筐体の一面を構成させてもよい。
なお、本実施形態においては、室外熱交換器Ａ１_31Aを膨張弁１_33と室外熱交換器Ｗ１_31Wとの間に設けているが、その代わりに、室外熱交換器Ｗ１_31Wと四方弁Ａ_35との間に設けてもよい。
【００５３】
本実施形態のヒートポンプ式空気調和システムでは、冷房運転又は暖房運転が行われている際には、室外送風機１_31Aは常時運転するが、循環ポンプ１_34は、貯留水槽5に設けられた水温計（図３及び図４には図示しない）によって測定された貯留水槽5内の生活排水・雨水の温度情報と、室外機ユニット3に設けられた気温計（図３及び図４には図示しない）によって測定された外気温度情報（又は、室内機ユニット2に設けられた気温計（図３及び図４には図示しない）によって測定された生活用建屋内の室内温度）とに基づいて、その運転及び停止が制御される。すなわち、冷房運転時には、貯留水槽5内の生活排水・雨水の温度Ｔｗが「外気温度Ｔａ（又は生活用建屋内の室内温度Ｔｒ）に冷房運転時の圧縮機１_32の動力負荷に基づいて計算されるΔＴｃ（≧0）を加えた温度（Ｔａ（又はＴｒ）＋ΔＴｃ）」より低い場合に循環ポンプ１_34を運転し、ＴｗがＴａ（又はＴｒ）＋ΔＴｃより高い場合には循環ポンプ１_34を停止する。
一方、暖房運転時には、Ｔｗが「外気温度Ｔａ（又は生活用建屋内の室内温度Ｔｒ）から暖房運転時の圧縮機１_32の動力負荷に基づいて計算されるΔＴｈ（≧0）を減じた温度（Ｔａ（又はＴｒ）−ΔＴｈ）」より高い場合に循環ポンプ１_34を運転し、Ｔｗが「『Ｔａ（又はＴｒ）−ΔＴｈ』と０℃の少なくともいずれか一方」より低い場合には、循環ポンプ１_34を停止する（ここで、０℃を下回った場合に循環ポンプ１_34を停止するのは、貯留水槽5内の生活排水・雨水の氷結を回避するためである）。
【００５４】
なお、上記では、循環ポンプ１_34の運転・停止制御を、貯留水槽5内の生活排水・雨水の温度情報と外気温度情報（又は生活用建屋内の室内温度情報）とに基づいて行っているが、貯留水槽5内の生活排水・雨水の温度情報の代わりに熱源媒体１の温度情報を、外気温度情報（又は生活用建屋内の室内温度情報）の代わりに冷媒１の温度情報を使用し、上記に代わる適切な基準を用いて制御することも可能である。その場合、冷媒１や熱源媒体１の温度は、室外熱交換器Ｗ１_31Wの前後で測定することが望ましい。
【００５５】
（第３の実施形態）
図５は、本発明の第３の実施形態に係るヒートポンプ式空気調和・給湯統合システムの機器構成と、該ヒートポンプ式空気調和・給湯統合システムを冷房単独運転している場合の冷媒及び熱源媒体の循環経路を説明するための構成図である。
また、図６は、本発明の第３の実施形態に係るヒートポンプ式空気調和・給湯統合システムを暖房単独運転している場合の冷媒及び熱源媒体の循環経路を説明するための構成図である。
また、図７は、本発明の第３の実施形態に係るヒートポンプ式空気調和・給湯統合システムを湯沸単独運転している場合の冷媒及び熱源媒体の循環経路を説明するための構成図である。
また、図８は、本発明の第３の実施形態に係るヒートポンプ式空気調和・給湯統合システムを「冷房＋湯沸」併用運転している場合の冷媒及び熱源媒体の循環経路を説明するための構成図である。
また、図９は、本発明の第３の実施形態に係るヒートポンプ式空気調和・給湯統合システムを「暖房＋湯沸」併用運転している場合の冷媒及び熱源媒体の循環経路を説明するための構成図である。
【００５６】
本実施形態のヒートポンプ式空気調和・給湯統合システムにおいては、第１の実施形態のヒートポンプ式空気調和システムを構成する装置・機器に加えて、給湯ユニット4、貯湯槽6、槽内熱交換器２_52及びそれらを接続する配管が加わる。ここで、給湯ユニット4は、鋼板製又はプラスチック製の筐体に、室外熱交換器Ｗ２_41W、圧縮機２_42、膨張弁２_43、循環ポンプ２_44、給水ポンプ45、湯沸熱交換器46を備える。この際、室外熱交換器Ｗ２_41Wは、筐体の内部に収納しても、筐体の一面を構成させてもよい。
【００５７】
なお、本実施形態のヒートポンプ式空気調和・給湯統合システムにおいては、室外機ユニット3と給湯ユニット4とは独立の筐体で構成されているが、これを一体化し、一つの筐体に、室外熱交換器Ｗ１_31W、圧縮機１_32、膨張弁１_33、循環ポンプ１_34、四方弁Ａ_35、四方弁Ｂ_36、室外熱交換器Ｗ２_41W、圧縮機２_42、膨張弁２_43、循環ポンプ２_44、給水ポンプ45及び湯沸熱交換器46を備えるようにすることも可能である。この際、室外熱交換器Ｗ１_31W及び／又は室外熱交換器Ｗ２_41Wは、筐体の内部に収納しても、筐体の一面を構成させてもよい。
【００５８】
本実施形態のヒートポンプ式空気調和・給湯統合システムにおいては、冷媒１及び熱源媒体１の循環系統及び関連機器（冷房及ぶ暖房用）と冷媒２及び熱源媒体２の循環系統及び関連機器（給湯用）とは独立しており、冷媒１及び熱源媒体１の循環系統及び関連機器の機能は、基本的には、第１の実施形態のヒートポンプ式空気調和システムにおける機能と同じである。
一方、本実施形態の冷媒２及び熱源媒体２の循環系統及び関連機器の機能は、以下の通りとなっている。すなわち、湯沸運転時には、二酸化炭素である冷媒２は、湯沸熱交換器46→膨張弁２_43→室外熱交換器Ｗ２_41W→圧縮機２_42→湯沸熱交換器46の経路で、水又は不凍液である熱源媒体２は、槽内熱交換器２_52→循環ポンプ２_44→室外熱交換器Ｗ２_41W→槽内熱交換器２_52の経路で、それぞれ循環する（図７、図８及び図９において循環経路を太実線で示す）。そして、給水ポンプ45から供給された水と冷媒２とが湯沸熱交換器46で、冷媒２と熱源媒体２とが室外熱交換器Ｗ２_41Wで、熱源媒体２と貯留水槽5内の生活排水・雨水とが槽内熱交換器２_52で、それぞれ熱交換することにより、貯留水槽5内の生活排水・雨水から水へ温熱が移動し、生成した熱湯が貯湯槽6に蓄えられる。
なお、湯沸熱交換器46と室外熱交換器Ｗ１_31Wにはプレート式の熱交換器を、槽内熱交換器２_52には多管式の熱交換器を、それぞれ採用している。また、熱源媒体２と熱源媒体３は異なる種類の液体（水と不凍液、異なる種類の不凍液、等）を使用してもよいし、同じ液体（水、同じ種類の不凍液、等）を使用してもよい。
【００５９】
（第４の実施形態）
図１０は、本発明の第４の実施形態に係るヒートポンプ式空気調和・給湯統合システムの機器構成と、該ヒートポンプ式空気調和・給湯統合システムを冷房単独運転している場合の冷媒及び熱源媒体の循環経路を説明するための構成図である。
また、図１１は、本発明の第４の実施形態に係るヒートポンプ式空気調和・給湯統合システムを暖房単独運転している場合の冷媒及び熱源媒体の循環経路を説明するための構成図である。
また、図１２は、本発明の第４の実施形態に係るヒートポンプ式空気調和・給湯統合システムを湯沸単独運転している場合の冷媒及び熱源媒体の循環経路を説明するための構成図である。
また、図１３は、本発明の第４の実施形態に係るヒートポンプ式空気調和・給湯統合システムを「冷房＋湯沸」併用運転している場合の冷媒及び熱源媒体の循環経路を説明するための構成図である。
また、図１４は、本発明の第４の実施形態に係るヒートポンプ式空気調和・給湯統合システムを「暖房＋湯沸」併用運転している場合の冷媒及び熱源媒体の循環経路を説明するための構成図である。
【００６０】
本実施形態のヒートポンプ式空気調和・給湯統合システムは、冷媒１の循環系統において、膨張弁１_33と室外熱交換器Ｗ１_31Wとの間に室外熱交換器Ａ１_31Aが設けられるとともに、室外熱交換器Ａ１_31Aに外気を送る室外送風機１_31Aが設けられること、及び、冷媒２の循環系統において、膨張弁２_43と室外熱交換器Ｗ２_41Wとの間に室外熱交換器Ａ２_41Aが設けられるとともに、室外熱交換器Ａ２_41Aに外気を送る室外送風機２_41Aが設けられることを除いて、基本的な機器構成は第３の実施形態のヒートポンプ式空気調和システムと同じである。
すなわち、本実施形態においては、室外機ユニット3は、鋼板製又はプラスチック製の筐体に、室外熱交換器Ｗ１_31W、室外熱交換器Ａ１_31A、室外送風機１_31A、圧縮機１_32、膨張弁１_33、循環ポンプ１_34、四方弁Ａ_35及び四方弁Ｂ_36を備える。この際、室外熱交換器Ｗ１_31Wは、筐体の内部に収納しても、筐体の一面を構成させてもよい。一方、給湯ユニット4は、鋼板製又はプラスチック製の筐体に、室外熱交換器Ｗ２_41W、室外熱交換器Ａ２_41A、室外送風機２_41A、圧縮機２_42、膨張弁２_43、循環ポンプ２_44、給水ポンプ45、湯沸熱交換器46を備える。この際、室外熱交換器Ｗ２_41Wは、筐体の内部に収納しても、筐体の一面を構成させてもよい。
なお、本実施形態においては、室外機ユニット3と給湯ユニット4の双方に、室外送風機と室外熱交換器Ａの組み合わせである外気熱交換ユニットを設けているが、外気熱交換ユニットは、室外機ユニット3と給湯ユニット4のいずれか一方だけに設けることも可能である。
【００６１】
また、本実施形態のヒートポンプ式空気調和・給湯統合システムにおいては、室外機ユニット3と給湯ユニット4とは独立の筐体で構成されているが、これを一体化し、一つの筐体に、室外熱交換器Ｗ１_31W、室外熱交換器Ａ１_31A、室外送風機１_31A、圧縮機１_32、膨張弁１_33、循環ポンプ１_34、四方弁Ａ_35、四方弁Ｂ_36、室外熱交換器Ｗ２_41W、室外熱交換器Ａ２_41A、室外送風機２_41A、圧縮機２_42、膨張弁２_43、循環ポンプ２_44、給水ポンプ45及び湯沸熱交換器46を備えるようにすることも可能である。この際、室外熱交換器Ｗ１_31W及び／又は室外熱交換器Ｗ２_41Wは、筐体の内部に収納しても、筐体の一面を構成させてもよい。
【００６２】
さらに、本実施形態においては、室外熱交換器Ａ１_31Aを膨張弁１_33と室外熱交換器Ｗ１_31Wとの間に設けているが、その代わりに、室外熱交換器Ｗ１_31Wと四方弁Ａ_35との間に設けてもよい。また、室外熱交換器Ａ２_41Aを膨張弁２_43と室外熱交換器Ｗ２_41Wとの間に設けているが、その代わりに、室外熱交換器Ｗ２_41Wと圧縮機２_42との間に設けてもよい。
【００６３】
本実施形態のヒートポンプ式空気調和・給湯統合システムでは、冷房運転又は暖房運転が行われている際には、室外送風機１_31Aは常時運転するが、循環ポンプ１_34は、貯留水槽5に設けられた水温計（図１０〜図１４には図示しない）によって測定された貯留水槽5内の生活排水・雨水の温度情報と、室外機ユニット3に設けられた気温計（図１０〜図１４には図示しない）によって測定された外気温度情報（又は、室内機ユニット2に設けられた気温計（図１０〜図１４には図示しない）によって測定された生活用建屋内の室内温度）とに基づいて、その運転及び停止が制御される。すなわち、冷房運転時には、貯留水槽5内の生活排水・雨水の温度Ｔｗが「外気温度Ｔａ（又は生活用建屋内の室内温度Ｔｒ）に冷房運転時の圧縮機１_32の動力負荷に基づいて計算されるΔＴｃ（≧0）を加えた温度（Ｔａ（又はＴｒ）＋ΔＴｃ）」より低い場合に循環ポンプ１_34を運転し、ＴｗがＴａ（又はＴｒ）＋ΔＴｃより高い場合には循環ポンプ１_34を停止する。
一方、暖房運転時には、Ｔｗが「外気温度Ｔａ（又は生活用建屋内の室内温度Ｔｒ）から暖房運転時の圧縮機１_32の動力負荷に基づいて計算されるΔＴｈ（≧0）を減じた温度（Ｔａ（又はＴｒ）−ΔＴｈ）」より高い場合に循環ポンプ１_34を運転し、Ｔｗが「『Ｔａ（又はＴｒ）−ΔＴｈ』と０℃の少なくともいずれか一方」より低い場合には、循環ポンプ１_34を停止する（ここで、０℃を下回った場合に循環ポンプ１_34を停止するのは、貯留水槽5内の生活排水・雨水の氷結を回避するためである）。
【００６４】
一方、本実施形態では、湯沸運転が行われている際には、室外送風機２_41Aは常時運転するが、循環ポンプ２_44は、貯留水槽5に設けられた水温計（図１０〜図１４には図示しない）によって測定された貯留水槽5内の生活排水・雨水の温度情報と、貯湯槽6に設けられた湯温度計（図１０〜図１４には図示しない）によって測定された湯温度情報とに基づいて、その運転及び停止が制御される。すなわち、貯留水槽5内の生活排水・雨水の温度Ｔｗが「貯湯槽6内の湯温度Ｔｔから圧縮機２_42の動力負荷に基づいて計算されるΔＴｂ（≧0）を減じた温度（Ｔｔ−ΔＴｂ）」より高い場合に循環ポンプ２_44を運転し、Ｔｗが「『Ｔｔ−ΔＴｂ』と０℃の少なくともいずれか一方」より低い場合には、循環ポンプ２_44を停止する（ここで、０℃を下回った場合に循環ポンプ２_44を停止するのは、貯留水槽5内の生活排水・雨水の氷結を回避するためである）。
【００６５】
なお、本実施形態のヒートポンプ式空気調和・給湯統合システムは、電力料金が割安に設定されている夜間だけに湯沸運転することができる。夜間は、通常、家屋1から生活排水が排出されないため、雨が降っている場合を除き、貯留水槽5内の生活排水・雨水は新しい生活排水・雨水によって置換されず、結果として、貯留水槽5内の生活排水・雨水の温度は一方的に低下してしまう。特に、貯湯槽6の容量が貯留水槽5の容量と比較して大きい場合には、夜間に貯湯槽6内の湯を所定の炊き上げ設定温度（80℃前後）まで加熱する前に、貯留水槽5内の生活排水・雨水の温度Ｔｗが０℃に達して循環ポンプ２_44は停止し、それ以降は、冷媒２は熱源媒体２との熱交換によって加温されず、室外送風機２_41Aによって送られる外気との熱交換だけによって加温されることになる。
ところで、一般に、空冷式のヒートポンプ式給湯装置の熱交換効率が悪くなるのは、貯湯槽6内の湯の温度が高くなってからである。したがって、上記のように湯沸完了前に熱源媒体２との熱交換が停止しては、本発明のヒートポンプ式給湯システム又はヒートポンプ式空気調和・給湯統合システムの効果が低減してしまう。
この問題を回避するためには、本実施形態のヒートポンプ式空気調和・給湯統合システムの湯沸運転が開始されてもすぐには循環ポンプ２_44を起動せず、貯湯槽6内の湯の（平均）温度が、炊き上げ設定温度、湯沸運転開始時の貯留水槽5内の生活排水・雨水の温度、貯湯槽6の容量、貯留水槽5の容量等から定めた温度に達してから循環ポンプ２_44を起動するようにすれば、貯湯槽6内の湯の温度が高くなって以降の熱交換効率の低下を回避することができる。
【００６６】
なお、上記では、循環ポンプ１_34の運転・停止制御を、貯留水槽5内の生活排水・雨水の温度情報と外気温度情報（又は生活用建屋内の室内温度情報）とに基づいて行っているが、貯留水槽5内の生活排水・雨水の温度情報の代わりに熱源媒体１の温度情報を、外気温度情報（又は生活用建屋内の室内温度情報）の代わりに冷媒１の温度情報を使用し、上記に代わる適切な基準を用いて制御することも可能である。また、循環ポンプ２_44の運転・停止制御については、貯留水槽5内の生活排水・雨水の温度情報の代わりに熱源媒体２の温度情報を、貯湯槽6内の湯温度情報の代わりに冷媒２の温度情報を使用し、上記に代わる適切な基準を用いて制御することも可能である。その場合、冷媒１、冷媒２、熱源媒体１、熱源媒体２の温度は、室外熱交換器Ｗ１_31W又は室外熱交換器Ｗ２_41Wの前後で測定することが望ましい。  
【００６７】
（第５の実施形態）
図１５は、本発明の第５の実施形態に係るヒートポンプ式空気調和・給湯統合システムの機器構成と、該ヒートポンプ式空気調和・給湯統合システムを冷房単独運転している場合の冷媒及び熱源媒体の循環経路を説明するための構成図である。
また、図１６は、本発明の第５の実施形態に係るヒートポンプ式空気調和・給湯統合システムを湯沸単独運転している場合の冷媒及び熱源媒体の循環経路を説明するための構成図である。
また、図１７は、本発明の第５の実施形態に係るヒートポンプ式空気調和・給湯統合システムを「冷房＋湯沸」併用運転している場合の冷媒及び熱源媒体の循環経路を説明するための構成図である。
【００６８】
本実施形態のヒートポンプ式空気調和・給湯統合システムは暖房機能を有していないため、第３の実施形態のヒートポンプ式空気調和・給湯統合システムが備えていた冷暖房切り替え用の四方弁Ａ_35及び四方弁Ｂ_36は備えていない。また、室外機ユニット3に熱源媒体３が供給される経路と給湯ユニット4に熱源媒体３が供給される経路が一体化されているため、貯留水槽5内の熱交換器も槽内熱交換器３_53のみとなるとともに、循環ポンプ２_44は備えていない。その代わりに、室外機ユニット3には、熱源媒体３の循環経路を切り替えるための三方弁Ａ１_371、三方弁Ａ２_372、三方弁Ａ３_373及び三方弁Ａ４_374が設けられている。
【００６９】
なお、本実施形態のヒートポンプ式空気調和・給湯統合システムにおいては、室外機ユニット3と給湯ユニット4とは独立の筐体で構成されているが、これを一体化し、一つの筐体に、室外熱交換器Ｗ１_31W、圧縮機１_32、膨張弁１_33、循環ポンプ１_34、三方弁Ａ１_371、三方弁Ａ２_372、三方弁Ａ３_373、三方弁Ａ４_374、室外熱交換器Ｗ２_41W、圧縮機２_42、膨張弁２_43、給水ポンプ45及び湯沸熱交換器46を備えるようにすることも可能である。この際、室外熱交換器Ｗ１_31W及び／又は室外熱交換器Ｗ２_41Wは、筐体の内部に収納しても、筐体の一面を構成させてもよい。
【００７０】
本実施形態のヒートポンプ式空気調和・給湯統合システムにおいては、冷媒１及び冷媒２の循環系統は第３の実施形態のヒートポンプ式空気調和・給湯統合システムと同じである。それに対して、熱源媒体３の循環系統は、それぞれの運転の場合に、以下のように変わる（図１６及び図１７において循環経路を太実線で示す）。
冷房単独運転の場合：槽内熱交換器３_53→循環ポンプ１_34→三方弁Ａ１_371→室外熱交換器Ｗ１_31W→三方弁Ａ２_372→三方弁Ａ３_373→三方弁Ａ４_374→槽内熱交換器３_53
湯沸単独運転の場合：槽内熱交換器３_53→循環ポンプ１_34→三方弁Ａ１_371→三方弁Ａ２_372→三方弁Ａ３_373→室外熱交換器Ｗ２_41W→三方弁Ａ４_374→槽内熱交換器３_53
「冷房＋湯沸」併用運転の場合：槽内熱交換器３_53→循環ポンプ１_34→三方弁Ａ１_371→室外熱交換器Ｗ１_31W→三方弁Ａ２_372→三方弁Ａ３_373→室外熱交換器Ｗ２_41W→三方弁Ａ４_374→槽内熱交換器３_53
一方、家屋1内の空気から貯留水槽5内の生活排水・雨水への温熱の移動、及び、貯留水槽5内の生活排水・雨水から水への温熱が移動は、熱源媒体１及び熱源媒体２が熱源媒体３に代わることを除けば、第３の実施形態のヒートポンプ式空気調和・給湯統合システムと同じである。
【００７１】
（第６の実施形態）
図１８は、本発明の第６の実施形態に係るヒートポンプ式空気調和・給湯統合システムの機器構成と、該ヒートポンプ式空気調和・給湯統合システムを冷房単独運転している場合の冷媒及び熱源媒体の循環経路を説明するための構成図である。
また、図１９は、本発明の第６の実施形態に係るヒートポンプ式空気調和・給湯統合システムを湯沸単独運転している場合の冷媒及び熱源媒体の循環経路を説明するための構成図である。
また、図２０は、本発明の第６の実施形態に係るヒートポンプ式空気調和・給湯統合システムを「冷房＋湯沸」併用運転している場合の冷媒及び熱源媒体の循環経路を説明するための構成図である。
【００７２】
本実施形態のヒートポンプ式空気調和・給湯統合システムは、冷媒１の循環系統において、膨張弁１_33と室外熱交換器Ｗ１_31Wとの間に室外熱交換器Ａ１_31Aが設けられるとともに、室外熱交換器Ａ１_31Aに外気を送る室外送風機１_31Aが設けられること、及び、冷媒２の循環系統において、膨張弁２_43と室外熱交換器Ｗ２_41Wとの間に室外熱交換器Ａ２_41Aが設けられるとともに、室外熱交換器Ａ２_41Aに外気を送る室外送風機２_41Aが設けられることを除いて、基本的な機器構成は第５の実施形態のヒートポンプ式空気調和システムと同じである。
すなわち、本実施形態においては、室外機ユニット3は、鋼板製又はプラスチック製の筐体に、室外熱交換器Ｗ１_31W、室外熱交換器Ａ１_31A、室外送風機１_31A、圧縮機１_32、膨張弁１_33、循環ポンプ１_34、三方弁Ａ１_371、三方弁Ａ２_372、三方弁Ａ３_373及び三方弁Ａ４_374を備える。この際、室外熱交換器Ｗ１_31Wは、筐体の内部に収納しても、筐体の一面を構成させてもよい。一方、給湯ユニット4は、鋼板製又はプラスチック製の筐体に、室外熱交換器Ｗ２_41W、室外熱交換器Ａ２_41A、室外送風機２_41A、圧縮機２_42、膨張弁２_43、給水ポンプ45、湯沸熱交換器46を備える。この際、室外熱交換器Ｗ２_41Wは、筐体の内部に収納しても、筐体の一面を構成させてもよい。
なお、本実施形態においては、室外機ユニット3と給湯ユニット4の双方に、室外送風機と室外熱交換器Ａの組み合わせである外気熱交換ユニットを設けているが、外気熱交換ユニットは、室外機ユニット3と給湯ユニット4のいずれか一方だけに設けることも可能である。
【００７３】
また、本実施形態のヒートポンプ式空気調和・給湯統合システムにおいては、室外機ユニット3と給湯ユニット4とは独立の筐体で構成されているが、これを一体化し、一つの筐体に、室外熱交換器Ｗ１_31W、室外熱交換器Ａ１_31A、室外送風機１_31A、圧縮機１_32、膨張弁１_33、循環ポンプ１_34、三方弁Ａ１_371、三方弁Ａ２_372、三方弁Ａ３_373、三方弁Ａ４_374、室外熱交換器Ｗ２_41W、室外熱交換器Ａ２_41A、室外送風機２_41A、圧縮機２_42、膨張弁２_43、給水ポンプ45及び湯沸熱交換器46を備えるようにすることも可能である。この際、室外熱交換器Ｗ１_31W及び／又は室外熱交換器Ｗ２_41Wは、筐体の内部に収納しても、筐体の一面を構成させてもよい。
【００７４】
さらに、本実施形態においては、室外熱交換器Ａ１_31Aを膨張弁１_33と室外熱交換器Ｗ１_31Wとの間に設けているが、その代わりに、室外熱交換器Ｗ１_31Wと四方弁Ａ_35との間に設けてもよい。また、室外熱交換器Ａ２_41Aを膨張弁２_43と室外熱交換器Ｗ２_41Wとの間に設けているが、その代わりに、室外熱交換器Ｗ２_41Wと圧縮機２_42との間に設けてもよい。
【００７５】
本実施形態のヒートポンプ式空気調和・給湯統合システムでは、冷房単独運転が行われている際には、室外送風機１_31Aは常時運転するが、循環ポンプ１_34は、貯留水槽5に設けられた水温計（図１８〜図２０には図示しない）によって測定された貯留水槽5内の生活排水・雨水の温度情報と、室外機ユニット3に設けられた気温計（図１０〜図１４には図示しない）によって測定された外気温度情報（又は、室内機ユニット2に設けられた気温計（図１０〜図１４には図示しない）によって測定された生活用建屋内の室内温度）とに基づいて、その運転及び停止が制御される。すなわち、貯留水槽5内の生活排水・雨水の温度Ｔｗが「外気温度Ｔａ（又は生活用建屋内の室内温度Ｔｒ）に冷房運転時の圧縮機１_32の動力負荷に基づいて計算されるΔＴｃ（≧0）を加えた温度（Ｔａ（又はＴｒ）＋ΔＴｃ）」より低い場合に循環ポンプ１_34を運転し、ＴｗがＴａ（又はＴｒ）＋ΔＴｃより高い場合には循環ポンプ１_34を停止する。
次に、本実施形態では、湯沸単独運転が行われている際には、室外送風機２_41Aは常時運転するが、循環ポンプ１_34は、貯留水槽5に設けられた水温計（図１８〜図２０には図示しない）によって測定された貯留水槽5内の生活排水・雨水の温度情報と、貯湯槽6に設けられた湯温度計（図１０〜図１４には図示しない）によって測定された湯温度情報とに基づいて、その運転及び停止が制御される。すなわち、貯留水槽5内の生活排水・雨水の温度Ｔｗが「貯湯槽6内の湯温度Ｔｔから圧縮機２_42の動力負荷に基づいて計算されるΔＴｂ（≧0）を減じた温度（Ｔｔ−ΔＴｂ）」より高い場合に循環ポンプ１_34を運転し、ＴｗがＴｔ−ΔＴｂより低い場合には循環ポンプ１_34を停止する。
最後に、「冷房＋湯沸」併用運転が行われている際には、貯留水槽5内の生活排水・雨水の温度Ｔｗが、「外気温度Ｔａ（又は生活用建屋内の室内温度Ｔｒ）に冷房運転時の圧縮機１_32の動力負荷に基づいて計算されるΔＴｃを加えた温度（Ｔａ（又はＴｒ）＋ΔＴｃ）」より低く、「貯湯槽6内の湯温度Ｔｔから冷房運転時の圧縮機１_32の動力負荷に基づいて計算されるΔＴｃ’と圧縮機２_42の動力負荷に基づいて計算されるΔＴｂとを減じた温度（Ｔｔ−ΔＴｃ’−ΔＴｂ）」より高い場合に循環ポンプ１_34を運転し、それ以外の場合には循環ポンプ２_44を停止する。
【００７６】
なお、上記では、循環ポンプ１_34の運転・停止制御を、貯留水槽5内の生活排水・雨水の温度情報、外気温度情報（又は生活用建屋内の室内温度情報）及び貯湯槽6内の湯温度情報に基づいて行っているが、貯留水槽5内の生活排水・雨水の温度情報の代わりに熱源媒体３の温度情報を、外気温度情報（又は生活用建屋内の室内温度情報）の代わりに冷媒１の温度情報を、貯湯槽6内の湯温度情報の代わりに冷媒２の温度情報を使用し、上記に代わる適切な基準を用いて制御することも可能である。その場合、冷媒１、冷媒２、熱源媒体３の温度は、室外熱交換器Ｗ１_31W又は室外熱交換器Ｗ２_41Wの前後で測定することが望ましい。  
【００７７】
（第７の実施形態）
図２１は、本発明の第７の実施形態に係るヒートポンプ式空気調和・給湯統合システムの機器構成と、該ヒートポンプ式空気調和・給湯統合システムを冷房単独運転している場合の冷媒及び熱源媒体の循環経路を説明するための構成図である。
また、図２２は、本発明の第７の実施形態に係るヒートポンプ式空気調和・給湯統合システムを暖房単独運転している場合の冷媒及び熱源媒体の循環経路を説明するための構成図である。
また、図２３は、本発明の第７の実施形態に係るヒートポンプ式空気調和・給湯統合システムを湯沸単独運転している場合の冷媒及び熱源媒体の循環経路を説明するための構成図である。
また、図２４は、本発明の第７の実施形態に係るヒートポンプ式空気調和・給湯統合システムを「冷房＋湯沸」併用運転している場合の冷媒及び熱源媒体の循環経路を説明するための構成図である。
また、図２５は、本発明の第７の実施形態に係るヒートポンプ式空気調和・給湯統合システムを「暖房＋湯沸」併用運転している場合の冷媒及び熱源媒体の循環経路を説明するための構成図である。
【００７８】
本実施形態のヒートポンプ式空気調和・給湯統合システムは暖房機能を有するため、第５の実施形態のヒートポンプ式空気調和・給湯統合システムが備えていなかった四方弁Ａ_35及び四方弁Ｂ_36を備えている。一方、暖房運転時に室外熱交換器Ｗ１_31Wに熱源媒体１を供給するために槽内熱交換器１_52を備え、三方弁Ａ１_371、三方弁Ａ２_372、三方弁Ａ３_373及び三方弁Ａ４_374の代わりに、三方弁Ｂ１_371、三方弁Ｂ２_372、三方弁Ｂ３_373、三方弁Ｂ４_374、三方弁Ｂ５_375、三方弁Ｂ５_375を備えている。また、熱源媒体循環用のポンプも２台（循環ポンプ１_34及び循環ポンプ２_44）としている。
【００７９】
なお、本実施形態のヒートポンプ式空気調和・給湯統合システムにおいては、室外機ユニット3と給湯ユニット4とは独立の筐体で構成されているが、これを一体化し、一つの筐体に、室外熱交換器Ｗ１_31W、圧縮機１_32、膨張弁１_33、循環ポンプ１_34、四方弁Ａ_35、四方弁Ｂ_36、三方弁Ｂ１_371、三方弁Ｂ２_372、三方弁Ｂ３_373、三方弁Ｂ４_374、三方弁Ｂ５_375、三方弁Ｂ５_375、室外熱交換器Ｗ２_41W、圧縮機２_42、膨張弁２_43、循環ポンプ２_44、給水ポンプ45及び湯沸熱交換器46を備えるようにすることも可能である。この際、室外熱交換器Ｗ１_31W及び／又は室外熱交換器Ｗ２_41Wは、筐体の内部に収納しても、筐体の一面を構成させてもよい。
【００８０】
本実施形態のヒートポンプ式空気調和・給湯統合システムにおいては、冷媒１及び冷媒２の循環系統は第３の実施形態のヒートポンプ式空気調和・給湯統合システムと同じである。また、熱源媒体３の循環系統は、経由する循環ポンプと弁類が複雑になったことを除いて、第５の実施形態のヒートポンプ式空気調和・給湯統合システムと同じである。
一方、今回新たに加わった暖房運転用の熱源媒体１用の循環系統は、暖房単独運転の場合でも、「暖房＋湯沸」併用運転の場合でも同じであり、槽内熱交換器１_51→三方弁Ｂ１_381→四方弁Ｂ_36→室外熱交換器Ｗ１_31W→四方弁Ｂ_36→三方弁Ｂ２_382→槽内熱交換器１_51の経路となる（図２２及び図２５において、循環経路を太実線で示す）。
【００８１】
（第８の実施形態）
図２６は、本発明の第８の実施形態に係るヒートポンプ式空気調和・給湯統合システムの機器構成と、該ヒートポンプ式空気調和・給湯統合システムを冷房単独運転している場合の冷媒及び熱源媒体の循環経路を説明するための構成図である。
また、図２７は、本発明の第８の実施形態に係るヒートポンプ式空気調和・給湯統合システムを暖房単独運転している場合の冷媒及び熱源媒体の循環経路を説明するための構成図である。
また、図２８は、本発明の第８の実施形態に係るヒートポンプ式空気調和・給湯統合システムを湯沸単独運転している場合の冷媒及び熱源媒体の循環経路を説明するための構成図である。
また、図２９は、本発明の第８の実施形態に係るヒートポンプ式空気調和・給湯統合システムを「冷房＋湯沸」併用運転している場合の冷媒及び熱源媒体の循環経路を説明するための構成図である。
また、図３０は、本発明の第８の実施形態に係るヒートポンプ式空気調和・給湯統合システムを「暖房＋湯沸」併用運転している場合の冷媒及び熱源媒体の循環経路を説明するための構成図である。
【００８２】
本実施形態のヒートポンプ式空気調和・給湯統合システムは、冷媒１の循環系統において、膨張弁１_33と室外熱交換器Ｗ１_31Wとの間に室外熱交換器Ａ１_31Aが設けられるとともに、室外熱交換器Ａ１_31Aに外気を送る室外送風機１_31Aが設けられること、及び、冷媒２の循環系統において、膨張弁２_43と室外熱交換器Ｗ２_41Wとの間に室外熱交換器Ａ２_41Aが設けられるとともに、室外熱交換器Ａ２_41Aに外気を送る室外送風機２_41Aが設けられることを除いて、基本的な機器構成は第７の実施形態のヒートポンプ式空気調和システムと同じである。
すなわち、本実施形態においては、室外機ユニット3は、鋼板製又はプラスチック製の筐体に、室外熱交換器Ｗ１_31W、室外熱交換器Ａ１_31A、室外送風機１_31A、圧縮機１_32、膨張弁１_33、循環ポンプ１_34、循環ポンプ２_44、四方弁Ａ_35、四方弁Ｂ_36、三方弁Ｂ１_371、三方弁Ｂ２_372、三方弁Ｂ３_373、三方弁Ｂ４_374、三方弁Ｂ５_375及び三方弁Ｂ５_375を備える。この際、室外熱交換器Ｗ１_31Wは、筐体の内部に収納しても、筐体の一面を構成させてもよい。一方、給湯ユニット4は、鋼板製又はプラスチック製の筐体に、室外熱交換器Ｗ２_41W、室外熱交換器Ａ２_41A、室外送風機２_41A、圧縮機２_42、膨張弁２_43、給水ポンプ45、湯沸熱交換器46を備える。この際、室外熱交換器Ｗ２_41Wは、筐体の内部に収納しても、筐体の一面を構成させてもよい。
なお、本実施形態においては、室外機ユニット3と給湯ユニット4の双方に、室外送風機と室外熱交換器Ａの組み合わせである外気熱交換ユニットを設けているが、外気熱交換ユニットは、室外機ユニット3と給湯ユニット4のいずれか一方だけに設けることも可能である。
【００８３】
また、本実施形態のヒートポンプ式空気調和・給湯統合システムにおいては、室外機ユニット3と給湯ユニット4とは独立の筐体で構成されているが、これを一体化し、一つの筐体に、室外熱交換器Ｗ１_31W、室外熱交換器Ａ１_31A、室外送風機１_31A、圧縮機１_32、膨張弁１_33、循環ポンプ１_34、四方弁Ａ_35、四方弁Ｂ_36、三方弁Ｂ１_371、三方弁Ｂ２_372、三方弁Ｂ３_373、三方弁Ｂ４_374、三方弁Ｂ５_375、三方弁Ｂ５_375、室外熱交換器Ｗ２_41W、室外熱交換器Ａ２_41A、室外送風機２_41A、圧縮機２_42、膨張弁２_43、循環ポンプ２_44、給水ポンプ45及び湯沸熱交換器46を備えるようにすることも可能である。この際、室外熱交換器Ｗ１_31W及び／又は室外熱交換器Ｗ２_41Wは、筐体の内部に収納しても、筐体の一面を構成させてもよい。
【００８４】
さらに、本実施形態においては、室外熱交換器Ａ１_31Aを膨張弁１_33と室外熱交換器Ｗ１_31Wとの間に設けているが、その代わりに、室外熱交換器Ｗ１_31Wと四方弁Ａ_35との間に設けてもよい。また、室外熱交換器Ａ２_41Aを膨張弁２_43と室外熱交換器Ｗ２_41Wとの間に設けているが、その代わりに、室外熱交換器Ｗ２_41Wと圧縮機２_42との間に設けてもよい。
【００８５】
本実施形態のヒートポンプ式空気調和・給湯統合システムでは、冷房単独運転、湯沸単独運転及び「冷房＋湯沸」併用運転が行われている際には、循環ポンプ２_44が運転されるが、循環ポンプ２_44の運転及び停止の制御方法は、第６の実施形態のヒートポンプ式空気調和・給湯統合システムにおける循環ポンプ１_34の運転及び停止の制御方法と同じである。なお、「暖房＋湯沸」併用運転の場合の循環ポンプ２_44の運転及び停止の制御の方法は、湯沸単独運転の場合と同じである。
一方、本実施形態では、暖房単独運転及び「暖房＋湯沸」併用運転が行われている際には、循環ポンプ１_34が運転され、その運転及び停止は、貯留水槽5に設けられた水温計（図２６〜図３０には図示しない）によって測定された貯留水槽5内の生活排水・雨水の温度情報と、室外機ユニット3に設けられた気温計（図２６〜図３０には図示しない）によって測定された外気温度情報（又は、室内機ユニット2に設けられた気温計（図２６〜図３０には図示しない）によって測定された生活用建屋内の室内温度）とに基づいて制御される。すなわち、貯留水槽5内の生活排水・雨水の温度Ｔｗが「外気温度Ｔａ（又は生活用建屋内の室内温度Ｔｒ）から暖房運転時の圧縮機１_32の動力負荷に基づいて計算されるΔＴｈ（≧0）を減じた温度（Ｔａ（又はＴｒ）−ΔＴｈ）」より高い場合に循環ポンプ１_34を運転し、Ｔｗが「『Ｔａ（又はＴｒ）−ΔＴｈ』と０℃の少なくともいずれか一方」より低い場合には、循環ポンプ１_34を停止する（ここで、０℃を下回った場合に循環ポンプ１_34を停止するのは、貯留水槽5内の生活排水・雨水の氷結を回避するためである）。
【００８６】
なお、上記では、循環ポンプ１_34の運転・停止制御を、貯留水槽5内の生活排水・雨水の温度情報と外気温度情報（又は生活用建屋内の室内温度情報）とに基づいて行っているが、貯留水槽5内の生活排水・雨水の温度情報の代わりに熱源媒体１の温度情報を、外気温度情報（又は生活用建屋内の室内温度情報）の代わりに冷媒１の温度情報を使用し、上記に代わる適切な基準を用いて制御することも可能である。その場合、冷媒１や熱源媒体１の温度は、室外熱交換器Ｗ１_31Wの前後で測定することが望ましい。
【００８７】
（第９の実施形態）
図３１は、本発明の第９の実施形態に係るヒートポンプ式空気調和・給湯統合システムの給排水系統の機器構成と、該給排水系統における給排水経路の一例を説明するための構成図である。
また、図３２は、本発明の第９の実施形態に係るヒートポンプ式空気調和・給湯統合システムの給排水系統における給排水経路の別の一例を説明するための構成図である。
また、図３３は、本発明の第９の実施形態に係るヒートポンプ式空気調和・給湯統合システムの給排水系統における給排水経路のさらに別の一例を説明するための構成図である。
【００８８】
本実施形態のヒートポンプ式空気調和・給湯統合システムの給排水系統においては、上水道配管81から家屋1内の風呂11、台所12、洗濯機13、洗い場14及び貯留水槽5に水道水が供給される（貯留水槽5に対しては開閉弁83を介して）。また、風呂11、台所12、洗濯機13及び洗い場14で使用済みとなった生活排水は、それぞれ三方弁Ｃ１_71、三方弁Ｃ２_72、三方弁Ｃ３_73、三方弁Ｃ４_74及び三方弁Ｃ５_75を介して、貯留水槽5に供給されるか、下水道配管82に放流される。
一方、家屋1に落下した雨水は雨どい16で集められ、これも三方弁Ｃ６_76を介して貯留水槽5に供給されるか、下水道配管82に放流される。
さらに、貯留水槽5内の生活排水・雨水は、排水ポンプ54で下水道配管82に放流されるか、排水再利用ポンプ55でトイレ15の水洗用水として供給される。ここで、排水ポンプ54は、液位計57の測定信号に基づいて運転及び停止する。
なお、トイレ15を水洗後の排水は、貯留水槽5に供給されることなく、すべて下水道配管82に放流される。
【００８９】
開閉弁83は、演算機２_84からの指示信号に基づき開閉され、演算機２_84は「貯留水槽5内の生活排水・雨水の液位を測定する液位計57からの測定信号」及び「貯留水槽5内の生活排水・雨水の温度を測定する温度計１_56からの測定信号」に基づき指示信号を生成する。
また、三方弁のうち、三方弁Ｃ２_72、三方弁Ｃ３_73、三方弁Ｃ４_74、三方弁Ｃ５_75及び三方弁Ｃ６_76については、冷媒循環系統１における圧縮機１_32と冷媒循環系統２における圧縮機２_42の運転及び停止の信号に基づき開方向が決定される。一方、三方弁Ｃ１_71は、それらに加えて、四方弁Ａ_35の開方向（すなわち冷房運転と暖房運転の別）、及び、演算器１_78からの指示信号に基づき開方向が決定され、演算器１_78は「風呂11からの排水の温度を測定する温度計２_77とからの測定信号」と「貯留水槽5内の生活排水・雨水の温度を測定する温度計１_56からの測定信号」に基づき指示信号を生成する。
【００９０】
図３１の給排水経路は、圧縮機１_32と圧縮機２_42の双方が停止している（すなわち、空気調和も給湯も行われていない）場合の給排水経路である。風呂11、台所12、洗濯機13及び洗い場14で発生した生活排水、及び、雨どいで集められた雨水は、すべて下水道配管に放流されており、貯留水槽5内の排水ポンプ54も運転していない。
一方、図３２の給排水経路は、圧縮機１_32と圧縮機２_42の少なくとも一方が運転しており、貯留水槽5内の生活排水・雨水の液位も温度も適正な範囲にある場合の給排水経路である。風呂11、台所12、洗濯機13及び洗い場14で発生した生活排水、及び、雨どいで集められた雨水は、すべて貯留水槽5に供給されている。排水ポンプ54も運転することによって、貯留水槽5内の生活排水・雨水の液位を適正範囲内に保っている。
最後に、図３３の給排水経路は、圧縮機１_32が稼動して冷房運転がなされており、かつ、貯留水槽5内の生活排水・雨水の液位が適正値より低く、また、貯留水槽5内の生活排水・雨水の温度が風呂11からの排水の温度よりも低い場合の給排水経路である。台所12、洗濯機13及び洗い場14で発生した生活排水、及び、雨どいで集められた雨水は貯留水槽5に供給されているが、風呂11からの排水は、貯留水槽5内の生活排水・雨水の温度を上げないように下水道配管に放流されている。一方、貯留水槽5内の生活排水・雨水の液位を適正値まで上げるように、上水道配管から貯留水槽5に水道水が補給されている。
【産業上の利用可能性】
【００９１】
本発明は、ヒートポンプ式の空気調和装置や給湯装置を設計・製造する産業において利用することができる。また、空気調和装置や給湯装置を備えた家屋、病院、学校、オフィスビルなどの建物を設計・製造・建築する産業において利用することができる。
【図面の簡単な説明】
【００９２】
【図１】本発明の第１の実施形態に係るヒートポンプ式空気調和システムの機器構成と、該空気調和システムを冷房運転している場合の冷媒及び熱源媒体の循環経路を説明するための構成図である。
【図２】本発明の第１の実施形態に係るヒートポンプ式空気調和システムを暖房運転している場合の冷媒及び熱源媒体の循環経路を説明するための構成図である。
【図３】本発明の第２の実施形態に係るヒートポンプ式空気調和システムの機器構成と、該空気調和システムを冷房運転している場合の冷媒及び熱源媒体の循環経路を説明するための構成図である。
【図４】本発明の第２の実施形態に係るヒートポンプ式空気調和システムを暖房運転している場合の冷媒及び熱源媒体の循環経路を説明するための構成図である。
【図５】本発明の第３の実施形態に係るヒートポンプ式空気調和・給湯統合システムの機器構成と、該ヒートポンプ式空気調和・給湯統合システムを冷房単独運転している場合の冷媒及び熱源媒体の循環経路を説明するための構成図である。
【図６】本発明の第３の実施形態に係るヒートポンプ式空気調和・給湯統合システムを暖房単独運転している場合の冷媒及び熱源媒体の循環経路を説明するための構成図である。
【図７】本発明の第３の実施形態に係るヒートポンプ式空気調和・給湯統合システムを湯沸単独運転している場合の冷媒及び熱源媒体の循環経路を説明するための構成図である。
【図８】本発明の第３の実施形態に係るヒートポンプ式空気調和・給湯統合システムを「冷房＋湯沸」併用運転している場合の冷媒及び熱源媒体の循環経路を説明するための構成図である。
【図９】本発明の第３の実施形態に係るヒートポンプ式空気調和・給湯統合システムを「暖房＋湯沸」併用運転している場合の冷媒及び熱源媒体の循環経路を説明するための構成図である。
【図１０】本発明の第４の実施形態に係るヒートポンプ式空気調和・給湯統合システムの機器構成と、該ヒートポンプ式空気調和・給湯統合システムを冷房単独運転している場合の冷媒及び熱源媒体の循環経路を説明するための構成図である。
【図１１】本発明の第４の実施形態に係るヒートポンプ式空気調和・給湯統合システムを暖房単独運転している場合の冷媒及び熱源媒体の循環経路を説明するための構成図である。
【図１２】本発明の第４の実施形態に係るヒートポンプ式空気調和・給湯統合システムを湯沸単独運転している場合の冷媒及び熱源媒体の循環経路を説明するための構成図である。
【図１３】本発明の第４の実施形態に係るヒートポンプ式空気調和・給湯統合システムを「冷房＋湯沸」併用運転している場合の冷媒及び熱源媒体の循環経路を説明するための構成図である。
【図１４】本発明の第４の実施形態に係るヒートポンプ式空気調和・給湯統合システムを「暖房＋湯沸」併用運転している場合の冷媒及び熱源媒体の循環経路を説明するための構成図である。
【図１５】本発明の第５の実施形態に係るヒートポンプ式空気調和・給湯統合システムの機器構成と、該ヒートポンプ式空気調和・給湯統合システムを冷房単独運転している場合の冷媒及び熱源媒体の循環経路を説明するための構成図である。
【図１６】本発明の第５の実施形態に係るヒートポンプ式空気調和・給湯統合システムを湯沸単独運転している場合の冷媒及び熱源媒体の循環経路を説明するための構成図である。
【図１７】本発明の第５の実施形態に係るヒートポンプ式空気調和・給湯統合システムを「冷房＋湯沸」併用運転している場合の冷媒及び熱源媒体の循環経路を説明するための構成図である。
【図１８】本発明の第６の実施形態に係るヒートポンプ式空気調和・給湯統合システムの機器構成と、該ヒートポンプ式空気調和・給湯統合システムを冷房単独運転している場合の冷媒及び熱源媒体の循環経路を説明するための構成図である。
【図１９】本発明の第６の実施形態に係るヒートポンプ式空気調和・給湯統合システムを湯沸単独運転している場合の冷媒及び熱源媒体の循環経路を説明するための構成図である。
【図２０】本発明の第６の実施形態に係るヒートポンプ式空気調和・給湯統合システムを「冷房＋湯沸」併用運転している場合の冷媒及び熱源媒体の循環経路を説明するための構成図である。
【図２１】本発明の第７の実施形態に係るヒートポンプ式空気調和・給湯統合システムを冷房単独運転している場合の冷媒及び熱源媒体の循環経路を説明するための構成図である。
【図２２】本発明の第７の実施形態に係るヒートポンプ式空気調和・給湯統合システムを暖房単独運転している場合の冷媒及び熱源媒体の循環経路を説明するための構成図である。
【図２３】本発明の第７の実施形態に係るヒートポンプ式空気調和・給湯統合システムを湯沸単独運転している場合の冷媒及び熱源媒体の循環経路を説明するための構成図である。
【図２４】本発明の第７の実施形態に係るヒートポンプ式空気調和・給湯統合システムを「冷房＋湯沸」併用運転している場合の冷媒及び熱源媒体の循環経路を説明するための構成図である。
【図２５】本発明の第７の実施形態に係るヒートポンプ式空気調和・給湯統合システムを「暖房＋湯沸」併用運転している場合の冷媒及び熱源媒体の循環経路を説明するための構成図である。
【図２６】本発明の第８の実施形態に係るヒートポンプ式空気調和・給湯統合システムを冷房単独運転している場合の冷媒及び熱源媒体の循環経路を説明するための構成図である。
【図２７】本発明の第８の実施形態に係るヒートポンプ式空気調和・給湯統合システムを暖房単独運転している場合の冷媒及び熱源媒体の循環経路を説明するための構成図である。
【図２８】本発明の第８の実施形態に係るヒートポンプ式空気調和・給湯統合システムを湯沸単独運転している場合の冷媒及び熱源媒体の循環経路を説明するための構成図である。
【図２９】本発明の第８の実施形態に係るヒートポンプ式空気調和・給湯統合システムを「冷房＋湯沸」併用運転している場合の冷媒及び熱源媒体の循環経路を説明するための構成図である。
【図３０】本発明の第８の実施形態に係るヒートポンプ式空気調和・給湯統合システムを「暖房＋湯沸」併用運転している場合の冷媒及び熱源媒体の循環経路を説明するための構成図である。
【図３１】本発明の第９の実施形態に係るヒートポンプ式空気調和・給湯統合システムの給排水系統の機器構成と、該給排水系統における給排水経路の一例を説明するための構成図である。
【図３２】本発明の第９の実施形態に係るヒートポンプ式空気調和・給湯統合システムの給排水系統における給排水経路の別の一例を説明するための構成図である。
【図３３】本発明の第９の実施形態に係るヒートポンプ式空気調和・給湯統合システムの給排水系統における給排水経路のさらに別の一例を説明するための構成図である。
【符号の説明】
【００９３】
1‥‥‥家屋
11‥‥‥風呂
12‥‥‥台所
13‥‥‥洗濯機
14‥‥‥洗い場
15‥‥‥トイレ
16‥‥‥雨どい
2‥‥‥室内機ユニット
21‥‥‥室内送風機
22‥‥‥室内熱交換器
3‥‥‥室外機ユニット
31F‥‥‥室外送風機１
31A‥‥‥室外熱交換器Ａ１
31W‥‥‥室外熱交換器Ｗ１
32‥‥‥圧縮機１
33‥‥‥膨張弁１
34‥‥‥循環ポンプ１
35‥‥‥四方弁Ａ
36‥‥‥四方弁Ｂ
371‥‥‥三方弁Ａ１
372‥‥‥三方弁Ａ２
373‥‥‥三方弁Ａ３
374‥‥‥三方弁Ａ４
381‥‥‥三方弁Ｂ１
382‥‥‥三方弁Ｂ２
383‥‥‥三方弁Ｂ３
384‥‥‥三方弁Ｂ４
385‥‥‥三方弁Ｂ５
386‥‥‥三方弁Ｂ６
4‥‥‥給湯ユニット
41F‥‥‥室外送風機２
41A‥‥‥室外熱交換器Ａ２
41W‥‥‥室外熱交換器Ｗ２
42‥‥‥圧縮機２
43‥‥‥膨張弁２
44‥‥‥循環ポンプ２
45‥‥‥給水ポンプ
46‥‥‥湯沸熱交換器
5‥‥‥貯留水槽
51‥‥‥槽内熱交換器１
52‥‥‥槽内熱交換器２
53‥‥‥槽内熱交換器３
54‥‥‥排水ポンプ
55‥‥‥排水再利用ポンプ
56‥‥‥温度計１
57‥‥‥液位計
6‥‥‥貯湯槽
71‥‥‥三方弁Ｃ１
72‥‥‥三方弁Ｃ２
73‥‥‥三方弁Ｃ３
74‥‥‥三方弁Ｃ４
75‥‥‥三方弁Ｃ５
76‥‥‥三方弁Ｃ６
77‥‥‥温度計２
78‥‥‥演算器１
81‥‥‥上水道配管
82‥‥‥下水道配管
83‥‥‥開閉弁
84‥‥‥演算器２
【図１】
2010048527.tif 000003
【図２】
2010048527.tif 000004
【図３】
2010048527.tif 000005
【図４】
2010048527.tif 000006
【図５】
2010048527.tif 000007
【図６】
2010048527.tif 000008
【図７】
2010048527.tif 000009
【図８】
2010048527.tif 000010
【図９】
2010048527.tif 000011
【図１０】
2010048527.tif 000012
【図１１】
2010048527.tif 000013
【図１２】
2010048527.tif 000014
【図１３】
2010048527.tif 000015
【図１４】
2010048527.tif 000016
【図１５】
2010048527.tif 000017
【図１６】
2010048527.tif 000018
【図１７】
2010048527.tif 000019
【図１８】
2010048527.tif 000020
【図１９】
2010048527.tif 000021
【図２０】
2010048527.tif 000022
【図２１】
2010048527.tif 000023
【図２２】
2010048527.tif 000024
【図２３】
2010048527.tif 000025
【図２４】
2010048527.tif 000026
【図２５】
2010048527.tif 000027
【図２６】
2010048527.tif 000028
【図２７】
2010048527.tif 000029
【図２８】
2010048527.tif 000030
【図２９】
2010048527.tif 000031
【図３０】
2010048527.tif 000032
【図３１】
2010048527.tif 000033
【図３２】
2010048527.tif 000034
【図３３】
2010048527.tif 000035